(57)【要約】本発明は、ハウジングタイプのゴルフシミュレーション装置に関するものであり、前面と背面と上面と左右側面に行われている内部空間が形成されているハウジングモニターが、本機ハウジングの前面に安置されるように、本機ハウジングの前面から背面がある方向の後方に凹入形成されたモニターの取り付け部と、本機内部空間に備えられるゴルフシミュレーションのコンピュータと、本機モニター取付部に安置されているモニターを含む構成されること特徴とし、これにより、ゴルフシミュレーション装置全体を一つに統合されたモジュールとして設置すると、管理と移動ができ、多様な付加機能をハウジングに実装することができる。【選択図】図１
2014515303.tif 000002
【特許請求の範囲】
【請求項１】
前面と背面と上面と左右側面に行われている内部空間が形成されているハウジングモニターが、本機ハウジングの前面に安置されるように、本機ハウジングの前面から背面がいる方向である後方に凹入形成されたモニターの取り付け部本機内部空間に備えられたゴルフシミュレーションマシン本気モニターの取り付け部に安置されているモニターを含めて構成される
ことを特徴とするハウジングタイプのゴルフシミュレーション装置。
【請求項２】
本機モニターの取り付け部は、本機モニターが気転される底部と、本機底部から上方に形成されて本機モニターの背面を支持する背面支持部を含んで構成され、本機背面支持部は、垂直面に対して後方に傾斜形成されている
請求項１に記載のハウジングタイプのゴルフシミュレーション装置。
【請求項３】
本機モニターがゴルフのティーと同じ視野圏に位置するように、本機モニター設置部が本機ハウジングに形成されている
請求項２に記載のハウジングタイプのゴルフシミュレーション装置。
【請求項４】
動的感知センサーを設置できるように、本機モニター取付部から離隔されて本機ハウジングの前面に形成されたセンサーの取り付け部；本機センサーの取り付け部に設置されている動的検出センサーが含まれていて構成されている
請求項１に記載のハウジングタイプのゴルフシミュレーション装置。
【請求項５】
本機のモニターを保護することができるようにするために、本機のモニター設置部開閉し、閉じた場合にも、本機のモニターの取り付け部に安置されている本機モニターの画面を見ることができる投光ドアが含まれていて構成されている
請求項１に記載のハウジングタイプのゴルフシミュレーション装置。
【請求項６】
本機ハウジングの側面には、ゴルフクラブを掛けるための複数のクラブホックが含まれて構成されている
請求項１に記載のハウジングタイプのゴルフシミュレーション装置。
【請求項７】
本機モニターの取り付け部に安置された本機モニターが打撃されたゴルフボールから保護されるように、本機ハウジングの前面に設置され、本機モニターの画面を見ることができる透光性材料のモニター保護手段が含まれて構成されている
請求項１に記載のハウジングタイプのゴルフシミュレーション装置。
【請求項８】
打撃されたゴルフボールから本機モニターを保護するために、本機ハウジングの前面から離隔設置されるモニターカバー付き本機モニターカバー付きが所定の角度で立設されるように本機モニターカバー付きを支持する支持手段をさらに含んで構成される
請求項１に記載のハウジングタイプのゴルフシミュレーション装置。
【請求項９】
本機モニターの取り付け部から離隔されて本機ハウジングの前面には、安着台収容部凹入形成されており、動的検出センサーを装着具備することができるように安着溝が形成されており、本機安着台収容部に設けられるセンサーの装着台に含まれていて構成されている
請求項１に記載のハウジングタイプのゴルフシミュレーション装置。
【請求項１０】
動的感知センサーが挿入されるように、本機モニターの取り付け部から離隔されて本機ハウジングの前面に凹入形成されたセンサーの挿入部をさらに含んで構成されている
請求項１に記載のハウジングタイプのゴルフシミュレーション装置。
【請求項１１】
本機モニターが後方に傾いている傾斜角度を調節するためのモニター傾斜角度調整手段をさらに含んで構成されている
請求項１に記載のハウジングタイプのゴルフシミュレーション装置。
【請求項１２】
本機ハウジングの前面に非（ｒａｉｎ）が入り打つことを防ぐことができるよう本機ハウジングに設置される非膜をさらに含んで構成される
請求項１に記載のハウジングタイプのゴルフシミュレーション装置。
【請求項１３】
本機ハウジングの前面下側には、ゴルフボールフィーダのアームが出没することができ
ようにがん出没口が形成されており、本機ハウジングの内部空間に設置され、本機アーム突出口を通ってゴルフボールを本機ハウジングの外部に供給しているゴルフボールフィーダを含んで構成されている
請求項１に記載のハウジングタイプのゴルフシミュレーション装置。
【請求項１４】
本機ゴルフボールフィーダは、供給されるゴルフボール安着される安着リング；本機定着リングのゴルフボールが安着されることを検出して検出信号を出力するボール感知センサー本機ボール感知センサーから出力される信号に基づいてモータを駆動するためのモータ駆動信号を出力する制御ボード本機制御基板から出力されるモータ駆動信号によって駆動するモーター先端には、本機定着リングが設置されており、本機モータの駆動にしたがって、回転して本機アーム出没口を出没して本機ハウジングの外部にゴルフボールを供給する回転アームを含めて構成される
請求項１３に記載のハウジングタイプのゴルフシミュレーション装置。
【請求項１５】
本機ハウジングに設けられて、本機ゴルフボールフィーダに供給されるゴルフボールを保持している保持ｂｏｘ；本機ｂｏｘから提供されたゴルフボールを、ゴルフボールフィーダに供給する通路である移送パイプが含まれて構成される
請求項１３に記載のハウジングタイプのゴルフシミュレーション装置。
【請求項１６】
本機ハウジングの仕事の側面に形成された吐出口本機内部空間に備えられ、冷気を生成し、本機吐出口に送信冷房手段をさらに含んで構成されている
請求項１に記載のハウジングタイプのゴルフシミュレーション装置。
【請求項１７】
空気が流入するように、本機ハウジングの他側に形成された流入口が含まれていて構成され、本機の冷房手段は、本機内部空間に設けられ、本機流入口から流入する空気と熱交換して冷気を生成する熱交換器を含んで構成されている
請求項１６に記載のハウジングタイプのゴルフシミュレーション装置。
【請求項１８】
本機ハウジングの仕事の側面に形成された吐出口；本機内部空間に設けられ、温かみを生成して本機吐出口に送信暖房手段を含んで構成されている
請求項１に記載のハウジングタイプのゴルフシミュレーション装置。
【請求項１９】
本機ゴルフシミュレーションマシンは、動的検出センサーから入力されるゴルフボールの動的情報に基づいた現在のプレイ状態の関数を抽出し、現在のプレイ状態関数が商品券の贈呈の対象となる商品券贈呈プレイ状態関数に該当する場合には、商品券の排出信号を出力し、本機ハウジングの内部空間に設けられ、本機ゴルフシミュレーションコンピュータからのギフト券排出信号を受信した場合、ギフト券を排出する商品券インジェクターが含まれて構成され、本機ギフト券インジェクターから排出される商品券が本機ハウジングの外部に排出されるよう、本機ハウジングの前面にはギフト券排出口が形成されている
請求項１に記載のハウジングタイプのゴルフシミュレーション装置。
【請求項２０】
本機のゴルフシミュレーションマシンは、動的検出センサーから入力されるゴルフボールの動的情報に基づいた現在のプレイ状態の関数を抽出し、現在のプレイ状態関数が景品の贈呈の対象となる景品進呈プレイ状態関数に該当する場合には、景品排出信号を出力し、本機ハウジングの内部空間に設けられ、本機ゴルフシミュレーションコンピュータからの景品排出信号を受信した場合、景品を排出する景品インジェクターをさらに含んで構成されている
請求項１に記載のハウジングタイプのゴルフシミュレーション装置。
【請求項２１】
ゴルフのティーが設置されており、本機ハウジングの前面下側に回転可能に設置されて折り畳みの場合は、本機モニターをカバーして保護することができ、広げる場合には、プレイヤーの打席に利用ティーマットを含んで構成されている
請求項１に記載のハウジングタイプのゴルフシミュレーション装置。
【請求項２２】
本機ハウジングに設けられ、本機ゴルフシミュレーションのコンピュータから送信された映像情報をスクリーンに照射するプロジェクターを含んで構成され、本機ゴルフシミュレーション、コンピュータは、本機プロジェクターにゴルフボールの動的飛行映像情報を出力する
請求項１に記載のハウジングタイプのゴルフシミュレーション装置。
【発明の詳細な説明】
【技術分野】
【０００１】
この発明は、ゴルフシミュレーション装置に関するもので、特にゴルフシミュレーション装置全体を一つの統合されたモジュールとして設置、管理、および移動することで、モニターの設置安定性を確保することができ、プレイヤーには、改良された利用環境を提供することができようにし、多様な付加機能をハウジングに実装できるようにするのに適当なゴルフシミュレーション装置に関するものである。
【背景技術】
【０００２】
近頃の室内ゴルフ練習場の空間的な限界を克服するためのゴルフシミュレーションシステムが開発されている。
ゴルフ打席に隣接する一定の空間でゴルフボールの速度と飛行角度等に関する動的な情報（Ｋｉｎｅｔｉｃ  ｄａｔａ）を測定し、これをもとに、ゴルフボールの飛行軌跡を予想して打席の前に設置されたスクリーンに３次元映像で出力するものである。
この時、ゴルフボールの予想飛行軌跡を出力する制御装置には、実際のゴルフ場のフィールドと同じ映像が入力されており、プレイヤーはあたかも実際のフィールドでゴルフをするような視覚的な効果を得ることができる。このようなゴルフシミュレーションシステムは、通常「スクリーンゴルフ（Ｓｃｒｅｅｎ  ｇｏｌｆ）」と呼ばれている。
また、最近では上記のような、いわゆるスクリーンゴルフよりも一次元アップグレードされた技術が開発さになったため、従来のように画面上に３次元映像を出力することがなく、ＬＣＤパネルなどのディスプレイに３次元映像を表示して、プレイヤーにさらに色鮮やかでリアルな画質と映像情報を提供する、いわゆるモニター出力ゴルフシミュレーション装置が開発されて脚光を浴びている。
【０００３】
図１には、従来技術によるゴルフシミュレーション装置の使用状態図が示されてています。
図１に示すように、従来技術の場合にあっては、ゴルフクラブで打撃されたゴルフボールの速度と飛行軌跡を含む動的な情報を検出して測定する動的検出センサ（１２）が打席部に置かれて、動的検出センサ（１２）により測定されたゴルフボールの飛行軌跡や速度を含む動的な情報を受信し、これに基づいて３次元ゴルフシミュレーションのプログラムを実行させて、ゴルフボールの動的飛行を映像で表示するようにするゴルフシミュレーションマシン（ゴルフシミュレーション、コンピュータ本体とも呼ばれ参照することがこの明細書では、ゴルフシミュレーションマシンと呼ばれる。）（図示せず）が本体（１０）に内蔵され、３次元映像を画面に表示するモニター（１１）が本体（１０）の上に置かれ、プレイヤーがゴルフボールを打撃する目標地点に視のためのターゲット膜（Ｔｇ）が設けられている。
【０００４】
しかし、上記のような従来技術によるゴルフシミュレーション装置と打席仕切り板は、次のような問題点があった。
まず、従来技術によるゴルフシミュレーション装置の場合にあっては、モニター（１１）が単に本体（１０）の上に置かれていて、プイレーヤーのゴルフ練習の過程で打撃されたゴルフボールが飛散されて、モニター（１１）に衝撃を加えて、モニター（１１）が破損したり、損傷している問題が発生した。
また、プレイヤーや利用者の不注意で本体（１０）に掲載されているモニター（１１）に接触する場合は、モニター（１１）が倒れて破損する問題もあった。
そして、移動時には、本体（１０）とモニター（１１）とセンサー（１２）を個別に別々のライブラリに入れて移動する必要がしたので、移動相の不快感や維持管理上の不具合がでた。
また、モニター（１１）が本体（１０）の上にあったので、プレイヤーがティーショットやパッティング時に首を持ち上げるか、または首を回して、モニター（１１）を注視する必要がありましたのでモニター（１１）に示されている３次元映像を表示するための環境が良くなかった。
また、従来は、モニタ（１１）とゴルフシミュレーションマシンが別々にあって、多くの占用のスペースを占めており、購入および設置費用が高価であり、メンテナンスの面でも不便。
【発明の概要】
【発明が解決しようとする課題】
【０００５】
この発明は、上記のような従来技術の問題点を解決するために創作されたもので、この発明によるハウジングタイプのゴルフシミュレーション装置の目的。
最初に、モニターと動的感知センサーやシミュレーションコンピュータを１つのハウジングに備えて、モニターをゴルフボールの打撃から保護することができるようにして、一つの統合されたモジュールとして構成することにより、設置および運用保守が容易できるようにし移動のしやすさと利便性を向上させることができるようにし、また、従来のようにモニターが倒れたり、落下の危険がなく、モニターがハウジングの前面側入って安置されるので、プレイヤーに安心感を提供し、ユーザー利用環境を向上させるようにした。
【０００６】
第二に、モニターを垂直に対して傾斜して設置されるようにモニターを設置する部構成することにより、プレイヤーがモニターを最も楽な姿勢で見ることができるし、プレイ環境が改善されるようにした。
第三に、モニター取付部の底部がゴルフティーに近接するように形成するか、またはモニター取付部の底部の高さとゴルフのティーの高さの差が所定値以内になるように構成することで、モニターがゴルフティーに置かれたゴルフボールと同じ視野圏内に位置することになり、その結果、プレイヤーが頭を意識的に持ち上げる回す必要がなく、モニターを楽な姿勢で見ることができようにした。
四番目に、投光ドアの構成を採用することにより、打撃されたゴルフボールが飛散されてモニターに影響を与えても、モニターが破損しない損傷している問題を防ぐことができようにした。
第五、クラブホックの構成とクラブホックの内面を特有の斜面構造に形成することにより、ゴルフクラブを便利、非常に安全かつ安定的にかけることができようにした。
第６、この発明のハウジングを打席間仕切り兼用で使用することにより、別の打席仕切を設置が必要ないようにして、その結果、シミュレーションゴルフ練習場の設置コストを削減できるようにした。
第７、モニター保護手段の構成を採用することにより、打撃されたゴルフボール飛散されてモニターに影響を与えても、モニターが破損又は損傷する問題を防ぐことができる。
第八、モニターカバー付きのハウジングに設置されたモニターから離隔設置する構成を採用することで、モニターを保護できるようにし、また、ハウジングに作り付けのように装着されるものではなく、ハウジングの前面から離隔して立てるだけで、設置される構成によって、必要な場合に選択的にモニターカバー付きを設置することができますので、ユーザーの利用環境を向上させるようにした。
第九、ハウジングに様々なセンサーを取り付けるようにした。
第十、簡単な構成で、モニターの傾きを調節できるようにして製品コストを削減できるようにした。
【０００７】
十一番目、ゴルフシミュレーション装置を屋外ゴルフ練習場に設置する場合ゴルフ練習場の前方にゴルフシミュレーション装置側に降る雨を防ぐことができようにして、モニター、動的検出センサーとハウジングのボディを保護することができるようにした。
第十二、ゴルフボールを自動的に供給しているゴルフボールフィーダをハウジングに内蔵することにより、ゴルフボールを簡単に供給することができ、ゴルフボールフィーダを別々に設定しなくてもされるので、完全な製品の保管及び利用環境を向上させることができる。
１３番目、ゴルフボールを保持するライブラリをハウジングに着脱式に構成することにより、必要に応じて選択的にゴルフボールをスムーズにしても、簡単にゴルフボールをゴルフボールフィーダーに提供できるようにした。
【０００８】
十四番目に、ライブラリをハウジングに掛けて設置する場合には、ライブラリにあったゴルフボールが自動的に移送管を通ってゴルフボールフィーダに供給され、ライブラリをハウジングから取外しする場合には、ライブラリの出口を自動的に閉じて、移送パイプで提供されているゴルフボールの供給を自動的に遮断するようにした。
第十五、ハウジング内部に冷房装置や加熱装置を備えて、冷房装置や暖房装置で生成された冷気や温気を吐出口を通って打席台にあるプレイヤーに直接（ｄｉｒｅｃｔｌｙ）送風構成を採用することで、打席代でプレイするプレイヤーに最も近い位置で一対一の個別のカスタマイズに冷気や温気を送風できるようにした。
第十六、打席代でプレイするプレイヤーに最も近い距離から直接冷気や温気を送風することにより、冷房や暖房の効率を高めることができ、また、不必要な冷房や暖房を使わないので、冷暖房エネルギーを節約することができるようにするとともに、ゴルフ練習場の維持管理コストを削減できるようにした。
第十七、連続バーディー、イーグル、ホールインワンなどのように特定のプレイに対応する場合に商品券をハウジングに排出してプレイヤーに提供できるようにした。
第十八、連続バーディー、イーグル、ホールインワンなどのように特定のプレイに対応する場合に景品をハウジングから排出されるようにしてプレイヤーに提供することができようにした。
第十九、ゴルフのティーが設置されたティーマットをハウジングに回転可能に設置することで、折り畳み式の場合は、モニターをカバーして保護することができるようにしてのばす場合には、プレイヤーの打席に利用できるようにし、また、ティーマットを多段に折りたたみ可能な複数の分節マットで構成することにより、プレー環境に合わせて様々なサイズのティーマットを提供することができるようにした。
【０００９】
第二十回目、移動が可能なハウジングにプロジェクターを設置することにより、本機の位置を自由に変更できるので、スクリーンとプロジェクターとの距離の調節が可能となり、画面のサイズに応じて、プロジェクターをスクリーンに近づけたり、後退させて距離に応じた最適の映像をスクリーンに照射できるようにした。
第二十一、ゴルフシミュレーション映像をスクリーンやモニターの中のいずれか一つ選択して出力できるようにし、特に、モニターに表示するか、画面に出力するかどうかをユーザーが選択できるようにして、ユーザーに改良されたゴルフシミュレーションプレイ環境を提供できるようにするのに適用したハウジングタイプのゴルフシミュレーション装置を提供することにある。
【課題を解決するための手段】
【００１０】
上機のような目的を達成するためのこの発明のハウジングタイプのゴルフシミュレーション装置は、前面と背面と上面と左右側面に行われている内部空間が形成されハウジング；モニターが本機ハウジングの前面に安置されるように、本機ハウジングの前面から背面がある方向で後方に凹入形成されたモニター取付部と、上機内部空間に備えられたゴルフシミュレーション、コンピュータと、本機モニター取付部に安置されているモニターを含んで構成されることを特徴とする。
【００１１】
この発明のハウジングタイプのゴルフシミュレーション装置は、本機のモニター取付部は、本機モニターが設置される底部と、本機底部から上方に形成されて本機モニターの背面を支持する背面支持部を含んで構成され、本機背面支持部は、垂直面に対して後方に傾斜形成されていることを特徴とする。
この発明のハウジングタイプのゴルフシミュレーション装置は、本機モニターがゴルフのティーと同じ視野圏に位置するように、本機モニターの取り付け部が本機ハウジングに形成されていることを特徴とする。
この発明のハウジングタイプのゴルフシミュレーション装置は、動的検出センサーを取り付けることができように、上機モニターの取り付け部から離隔されてハウジングの前面に形成されたセンサー取付部と、上機センサーの取り付け部に設置されている動的検出センサーが含まれていて構成されていることを特徴とする。
この発明のハウジングタイプのゴルフシミュレーション装置は、本機のモニターを保護することができようにするために、本機モニターの取り付け部を開閉し、閉じた場合にも、本機のモニター取付部に安置された本機モニターの画面を見ることができる投光ドアが含まれて構成されていることを特徴とする。
【００１２】
この発明のハウジングタイプのゴルフシミュレーション装置は、本機ハウジングの側面には、ゴルフクラブを掛けるための複数のクラブホックが含まれて構成されることを特徴とする。
この発明のハウジングタイプのゴルフシミュレーション装置は、本機のモニター取付部に安置された本機モニターが打撃されたゴルフボールから保護されるように、本機ハウジングの前面に設置され、本機モニターの画面を見ることができる透光性材質モニター保護手段が含まれて構成されていることを特徴とする。
この発明のハウジングタイプのゴルフシミュレーション装置は、打撃されたゴルフボールから本機のモニターを保護するために、本機ハウジングの前面から離隔設置されるモニターカバー付き、上機モニターカバー付きが所定の角度で立設されるように本機モニターカバー付きを支持する支持手段をさらに含んで構成されることを特徴とする。
この発明のハウジングタイプのゴルフシミュレーション装置は、本機モニター取付部から離隔されて上機ハウジングの前面に安着台収容部凹入形成されており、動的検出センサーを装着具備することができるように装着溝が形成されており、本機安着台収容部に出没可能に設けられるセンサーの装着台構成されている事を特徴とする。
この発明のハウジングタイプのゴルフシミュレーション装置は、動的検出センサーが挿入されることように、本機モニターの取り付け部から離隔されて前記ハウジングの前面に凹入形成されたセンサー挿入部をさらに含んで構成されることを特徴とする。
【００１３】
この発明のハウジングタイプのゴルフシミュレーション装置は、本機モニターが後方に傾向がある傾斜角度を調節するためのモニター傾斜角度調整手段をさらに含んで構成されることを特徴とする。
この発明のハウジングタイプのゴルフシミュレーション装置は、本機ハウジングの前面に雨（ｒａｉｎ）が入りこむ事を防ぐことができるように、本機ハウジングに設置される雨よけを含んで構成されることを特徴とする。
この発明のハウジングタイプのゴルフシミュレーション装置は、本機ハウジングの前面下側には、ゴルフボール供給機のアームが出没するようにアーム出没口が形成されており、本機ハウジングの内部空間に設置され、本機アーム出没口を通ってゴルフボールを本機ハウジングの外部に供給しているゴルフボール供給機をさらに含んで構成されることを特徴とする。
この発明のハウジングタイプのゴルフシミュレーション装置は、上機ゴルフボール供給機は、供給されるゴルフボール安着リングと、上機安着リングにゴルフボールが安着されることを検出して検出信号を出力するボール感知センサーと、上機ボール感知センサーから出力される信号に基づいてモーターを駆動するためのモーター駆動信号を出力する制御基板と、本機制御ボードから出力されるモーター駆動信号によって駆動するモーター；先端には、本機定着リングが設置されており、本機モーターの駆動に応じて回転して本機アーム出没口を出没して上機ハウジングの外部にゴルフボールを供給する回転アームを含んで構成されていることを特徴とする。
【００１４】
この発明のハウジングタイプのゴルフシミュレーション装置は、本機ハウジングに設けられて本機ゴルフボール供給機で供給されるゴルフボールを保持しているライブラリと、本機から提供されたゴルフボールを、本機ゴルフボール供給機に供給される通路である移送パイプが含まれていて構成されていることを特徴とする。
この発明のハウジングタイプのゴルフシミュレーション装置は、本機ハウジングの側面に形成された吐出口と、本機内部空間に備えられ、冷気を生成し、本機吐出口に送風冷房手段をさらに含んで構成されることを特徴とする。
この発明のハウジングタイプのゴルフシミュレーション装置は、空気が流入するように本機ハウジングの打席側に形成された流入口が含まれて構成され、上機冷房手段は、上機内部空間に設けられ、本機流入口から流入する空気と熱交換して冷気を生成する熱交換器を含んで構成されることを特徴とする。
この発明のハウジングタイプのゴルフシミュレーション装置は、本機ハウジングの側面に形成された吐出口と、上機内部空間に設けられ、温気を生成して上機吐出口に送風暖房手段をさらに含んで構成されることを特徴とする。
【００１５】
この発明のハウジングタイプのゴルフシミュレーション装置は、本機のゴルフシミュレーションコンピュータは、動的検出センサーから入力されたゴルフボールの動的情報に基づいて、現在のプレイ状態の関数を抽出し、現在のプレイ状態関数が商品券の贈呈の対象とされている商品券進呈プレイ状態関数に該当する場合には、商品券の排出信号を出力し、本機ハウジングの内部空間に設けられ、本機ゴルフシミュレーションコンピュータからのギフト券排出信号を受信した場合、ギフト券を排出する商品券イジェクターが含まれて構成され、上機商品券イジェクターから排出される商品券が上機ハウジングの外部に排出されるように上機ハウジングの前面にはギフト券排出口が形成されていることを特徴とする。
この発明のハウジングタイプのゴルフシミュレーション装置は、上機のゴルフシミュレーションコンピュータは、動的検出センサーから入力されたゴルフボールの動的情報に基づいて、現在のプレイ状態の関数を抽出し、現在のプレイ状態関数が景品の贈呈の対象とされている景品贈呈プレイ状態関数に該当する場合には、景品排出信号を出力し、上機ハウジングの内部空間に設けられ、上機ゴルフシミュレーションコンピュータからの景品排出信号を受信した場合、景品を排出する景品イジェクターをさらに含んで構成されることを特徴とする。
この発明のハウジングタイプのゴルフシミュレーション装置は、ゴルフのティーが設置されており、上機ハウジングの前面下側に回転可能に設置されて折り畳みの場合は、本機モニターをカバーして保護することができ張る場合には、プレイヤーの打席に利用ティーマットをさらに含んで構成されることを特徴とする。
この発明のハウジングタイプのゴルフシミュレーション装置は、上機ハウジングに設けられ、上機ゴルフシミュレーションのコンピュータから送信される映像情報をスクリーンに照射するプロジェクターが含まれて構成され、本機ゴルフシミュレーションコンピュータは、本機プロジェクターでゴルフボールの動的飛行映像情報を出力することを特徴とする。
【発明の効果】
【００１６】
本機のような構成を有するこの発明のハウジングタイプのゴルフシミュレーション装置は、次のような効果がある。
最初に、モニターと動的感知センサーやシミュレーションコンピュータを1つのハウジングに備えてモニターをゴルフボールの打撃から保護することができ、一つに統合されたモジュールとして構成することにより、設置と運用維持管理が容易にでき、移動しやすさと利便性を向上させることができ、また、従来のようにモニターが倒れたり、落下の危険がなく、モニターがハウジングの前面側に入って安置されるため、プレイヤーに安心感を提供し、ユーザーの利用環境を向上させることができる効果がある。
【００１７】
第二に、モニターが垂直に対して傾斜して設置されるようにモニターを設置する部を構成することにより、プレイヤーがモニターを最も楽な姿勢で見ることができてプレイ環境が改善される効果がある。
第三に、モニター取付部のゴルフティーに近接するように形成するか、またはモニター取付部の底部の高さとゴルフのティーの高さの差が所定値以内になるように構成することで、モニターがゴルフティーに置かれたゴルフボールと同じ視野圏内に位置することになり、その結果、プレイヤーが頭を意識的に持ち上げ回す必要がなく、モニターを楽な姿勢で見ることができる効果がある。
四番目に、投光ドアの構成を採用することにより、打撃されたゴルフボールが飛散されてモニターに影響を与えても、モニターが破損しない損傷する問題を防ぐことができるという効果がある。
第五、クラブホックの構成とクラブホックの内面を特有の斜面構造に形成することにより、ゴルフクラブを便利に、安定的にかけることができる効果がある。
第６、この発明のハウジングを打席の仕切りと兼用でも使用することで、別の打席仕切り設置が必要ないようにして、その結果、シミュレーションゴルフ練習場の設置コストを削減することができる効果がある。
【００１８】
第７、モニター保護手段の構成を採用することにより、打撃されたゴルフボールが飛散されてモニターに影響を与えても、モニターが破損し損傷している問題を防ぐことができる効果がある。
第八、モニターカバー付きのハウジングに設置されたモニターから離隔設置する構成を採用することで、モニターを保護することができ、また、ハウジングに組み込み式で装着されるものではなく、ハウジングの前面から離隔し立てるだけで、設置される構成によって、必要な場合に選択的にモニターカバー付きを設置することができので、ユーザーの利用環境を向上させることができる効果がある。
第九、ハウジングに様々なセンサーを取り付けることができる効果がある。
第十、簡単な構成で、モニターの傾きを調節することができる効果がある。
【００１９】
十一番目、ゴルフシミュレーション装置を屋外ゴルフ練習場に設置する場合ゴルフ練習場の前方にゴルフシミュレーション装置上に雨よけを防ぐことができるという効果がある。
第十二、ゴルフボールを自動的に供給しているゴルフボール供給機をハウジングに内蔵することにより、ゴルフボールを簡単に供給することができる効果がある。
１３番目、ゴルフボールを保持するライブラリをハウジングに脱着式に構成することにより、必要に応じて選択的にスムーズかつ簡単にゴルフボールをゴルフボール供給機に提供することができる効果がある。
十四番目に、ライブラリをハウジングに掛けて設置する場合には、ライブラリにあったゴルフボールが自動的に移送管を通ってゴルフボールフィーダに供給される効果があり、ライブラリをハウジングから取外しする場合には、ライブラリの出口を自動的に閉鎖して移送パイプで提供されているゴルフボールの供給を自動的に遮断することができる効果がある。
第十五、ハウジング内部に冷房装置や暖房装置を備えて、冷房装置や暖房装置で生成された冷気や温気を吐出口を通って打席台にあるプレイヤーに直接（ｄｉｒｅｃｔｌｙ）送風構成を採用することで、打席代でプレイするプレイヤーに最も近い位置で一対一の個別のカスタマイズに冷気や温気を送風できる効果がある。
第十六、打席代でプレイするプレイヤーに最も近い距離から直接冷気や温気を送風することにより、冷房や暖房の効率を高めることができ、また、不必要な冷房や暖房を使わないので、冷暖房エネルギーを節約することができる効果があり、その結果、ゴルフ練習場の維持管理コストを削減することができる効果がある。
【００２０】
第十七、連続バーディー、イーグル、ホールインワンなどのように特定のプレイに対応する場合に商品券をハウジングに排出してプレイヤーに提供することができる効果があります。
第十八、連続バーディー、イーグル、ホールインワンなどのように特定のプレイに対応する場合に景品をハウジングから排出されるようにしてプレイヤーに提供することができる効果がある。
第十九、ゴルフのティーが設置されたティーマットをハウジングに回転可能に設置することで、折り畳み式の場合は、モニターをカバーして保護することができ、張る場合には、プレイヤーの打席に利用することができ、また、ティーマットを多段に折りたためる複数の分節マットで構成することにより、再生環境に合わせて様々なサイズのティーマットを提供することができる効果がある。
第二十回目、移動が可能なハウジングにプロジェクターを設置することにより、本機の位置を自由に変更できるので、スクリーンとプロジェクターとの距離の調節が可能となり、画面のサイズに応じて、プロジェクターをスクリーンに近づけたり、後退させて距離に応じた最適の映像をスクリーンに照射することができる効果がある。
第二十一、ゴルフシミュレーション映像をスクリーンやモニターの中のいずれか一つ選択して出力することができ、特に、モニターに表示するか、画面に出力するかどうかをユーザーが選択できる効果がある。
【図面の簡単な説明】
【００２１】
【図１】従来技術によるゴルフシミュレーション装置の使用状態図である。
【図２】この発明の実施例によるハウジングタイプのゴルフシミュレーション装置の斜視図である。
【図３】本発明の実施例によるハウジングタイプのゴルフシミュレーション装置の背面斜視図である。
【図４】図３におけるクラブハンガー部の一部平面図である。
【図５】この発明の実施例によるハウジングタイプのゴルフシミュレーション装置の横断面図および使用状態図である。
【図６】この発明の実施例によるハウジングタイプのゴルフシミュレーション装置の腰部分解斜視図である。
【図７】この発明の実施例によるハウジングタイプのゴルフシミュレーション装置が設置されたゴルフ練習場の構成例図である。
【図８】この発明の他の実施例によるハウジングタイプのゴルフシミュレーション装置の腰部分解斜視図である。
【図９】図８の結合セクションおよび使用状態図である。
【図１０】この発明の他の実施例によるハウジングタイプのゴルフシミュレーション装置の斜視図である。
【図１１】図１０の断面図および使用状態図である。
【図１２】図１０の変形実施形態の斜視図である。
【図１３】図１０の別の変形実施形態の斜視図である。
【図１４】この発明の他の実施例によるゴルフシミュレーションション装置の要部の分解斜視図である。
【図１５】図１４の変形実施例の要部の分解斜視図である。
【図１６】この発明の他の実施例によるゴルフシミュレーションション装置の要部の分解斜視図である。
【図１７】図１６の変形実施例の要部の分解斜視図である。
【図１８】図１６の変形実施例の要部の分解斜視図である。
【図１９】この発明の他の実施例によるハウジングタイプのゴルフシミュレーション装置の斜視図である。
【図２０】図１９の断面図及び要部拡大図である。
【図２１】図１９の変形実施形態の断面図および要部拡大図である。
【図２２】図１９の実施例による動作図である。
【図２３】図１９の実施例による動作図である。
【図２４】雨よけが設置されたハウジングタイプのゴルフシミュレーション装置の斜視図である。
【図２５】図２４によるゴルフシミュレーション装置が屋外ゴルフ練習場に設置された状態の使用状態図である。
【図２６】ゴルフボールの供給が可能なハウジングタイプのゴルフシミュレーション装置の斜視図である。
【図２７】図２６の要部断面構成図である。
【図２８】図２６による実施例の平面構成の、ゴルフボールフィーダの回転動作図である。
【図２９】図２６による実施例の側面構成図である。
【図３０】図２６による実施形態の左側面図である。
【図３１】図２６による実施例において、ゴルフボール入れ（２６０）の正面図である。
【図３２】ゴルフボール入れ（２６０）の側面図である。
【図３３】ゴルフボール倉庫のシャッター（２６６）が出口（２６２）を開閉させる動作図である。
【図３４】ゴルフボール倉庫のシャッター（２６６）が出口（２６２）を開閉させる動作図である。
【図３５】ゴルフボールフィーダ（２５０）の側面の構成図である。
【図３６】冷暖房の供給が可能なハウジングタイプのゴルフシミュレーション装置の内部を見せるための分解斜視図である。
【図３７】図３６による実施形態の断面図と動作図である。
【図３８】図３６による実施形態の変形例の断面図と動作図である。
【図３９】ギフト券を排出する機能を持っているハウジングタイプのゴルフシミュレーション装置のブロック構成図である。
【図４０】ギフト券を排出する機能を持っているハウジングタイプのゴルフシミュレーション装置の要部分解構成図である。
【図４１】図４０の背面斜視図及び要部分離構成図である。
【図４２】景品を排出する機能を持っているハウジングタイプのゴルフシミュレーション装置のブロック構成図である。
【図４３】景品を排出する機能を持っているハウジングタイプのゴルフシミュレーション装置の要部分解構成図である。
【図４４】図４３で景品のインジェクター（２９０）の正面図である。
【図４５】景品のインジェクター（２９０）の斜視図である。
【図４６】図４５の排出ガイド部分切開斜視図と動作図である。
【図４７】景品保管ｂｏｘ（Ｇ）を取り外した場合の景品（ｇ）と景品保管ｂｏｘ（Ｇ）の分離斜視図である。
【図４８】折り畳み式のティーマットが完備されたハウジングタイプのゴルフシミュレーション装置の斜視図である。
【図４９】図４８のティーマットを折って広げる動作図である。
【図５０】ティーマットを複数の分節マットで構成した場合の側面構成図と動作図である。
【図５１】ビームプロジェクターが完備されたハウジングタイプのゴルフシミュレーション装置の斜視図である。
【図５２】ビームプロジェクターが完備されたハウジングタイプのゴルフシミュレーション装置のブロック構成図である。
【図５３】図５１による実施例の動作図である。
【図５４】図５１による実施例の動作図である。
【発明を実施するための形態】
【００２２】
ここでは、この発明のハウジングタイプのゴルフシミュレーション装置の好適な実施例を添付した図面に基づいて詳細に説明する。
この明細書で使用される方向に対して定義すると、前方には、プレーヤーがある方向であり、後方は前方の反対方向として、前面（１１０ａ）から背面（１１０ｂ）を、上方は底面（１１０ｄ）から上面（１１０ｃ）に向かう方向であり、下方は上方の反対の方向であり、これは、この明細書全体で同じ意味で使用される。
【００２３】
図１乃至図６に示すように、本発明の一実施例によるハウジングタイプのゴルフシミュレーション装置（Ａ）は、前面（１１０ａ）と背面（１１０ｂ）と上面（１１０ｃ）と底面（１１０ｄ）と左右の側面（１１０ｅ）で行われて、内部には、ゴルフシミュレーションコンピュータが気転される内部空間（Ｓ）が形成されているハウジング（１１０）と、モニター（２１０）がハウジング（１１０）の前面（１１０ａ）に突出していない状態で安置されるように、本機ハウジング（１１０）の前面（１１０ａ）から背面（１１０ｂ）がある方向である後方に凹入形成されたモニターの取り付け部（１２０）と、上機内部空間（Ｓ）に設けられ、動的検出センサー（２２０）によって測定されたゴルフボールの飛行軌跡や速度を含んでいる動的な情報を受信し、これに基づいて３次元のゴルフシミュレーションプログラムを実行させて、ゴルフボールの動的飛行を映像で表示するようにしたゴルフシミュレーションコンピュータと、本機モニター取付部（１２０）に安置されているモニター（２１０）を含めて、
構成されていることを特徴とする。
【００２４】
本機内部空間（Ｓ）は、モニターの設置部（１２０）の後方に形成されたため、ゴルフシミュレーションのコンピュータは、モニター（２１０）の後に設置されている。
本機のような構成によれば、モニター（２１０）とシミュレーションコンピュータを１つのハウジング（１１０）に備えて、モニター（２１０）をゴルフボールの打撃から保護し、シミュレーション装置の全体構成を、一体型に統合されたモジュールで構成するため、装置の設置と運用維持管理が容易で、移動のしやすさと利便性を向上させることができる利点がある。
また、従来のようにモニター（２１０）が倒れたり、落下の危険がなく、モニター（２１０）がハウジング（１１０）の前面側に入って安置されるので、プレイヤーに心理的な安心感を提供し、ユーザーの利用環境を向上させることができる利点がある。
【００２５】
本発明の実施例によるハウジングタイプのゴルフシミュレーション装置（Ａ）において、本機モニターの取り付け部（１２０）は、モニター（２１０）の底面が気の利いている底部（１２０ａ）と、上機底部（１２０ａ）から上方に延設されてモニター（２１０）の背面（符号未表示）を支持する背面支持部（１２０ｂ）を含んで構成され、上記背面支持部（１２０ｂ）は、垂直面に対して後方に所定角度（θ）に傾斜形成されていることを特徴とする。
このように、背面支持部（１２０ｂ）が傾いて形成されると、モニター（２１０）も、後方にやや傾けるように設置され、その結果、プレイヤーは快適にモニター（２１０）を見ることができようになる。
この発明の実施例によるハウジングタイプのゴルフシミュレーション装置（Ａ）において、本機モニター（２１０）がゴルフのティー（Ｔ）と同じ視野冊に位置するように、本機モニター取付部（１２０）が、上機ハウジング（１１０  ）に形成されていることを特徴とする。
モニターの取り付け部（１２０）の底部（１２０ａ）の高さ（ｈ２）とゴルフティー（Ｔ）の高さ（ｈ１）が似ているが、その差（ｈ１−ｈ２やｈ２−ｈ１）が約３０ｃｍ以下に設定すると、モニター（２１０）がゴルフのティー（Ｔ）と同じ視野冊に位置することになる。
【００２６】
例えば、図５に示すように、モニター取付部（１２０）の底部（１２０ａ）の高さ（ｈ２）がゴルフのティー（Ｔ）の高さ（ｈ１）よりも高いが、または図９に示すように、モニターの取り付け部（１２０）の底部（１２０ａ）の高さ（ｈ２）がゴルフのティー（Ｔ）の高さ（ｈ１）より低いとしても、その差は約３０ｃｍ以下である場合には、モニター（２１０）とゴルフティー（Ｔ）が同じ視野圏に置かれる。
一般的に、プレーヤーはパッティングやティーショットをするときに上体を前に少し曲げたが、この時、本機モニターの取り付け部（１２０）の構成［背面支持部（１２０ｂ）が所定の角度で傾いてモニター（２１０）とゴルフティー（Ｔ）が同じ視野圏内にあるようにする構成］によると、図５によく示されているように、プレイヤーがモニター（２１０）を見るために頭を意識的に持ち上げ回す必要がなく、モニター（２１０）を最も楽な姿勢で見ることができる。したがって、プレーヤーのための使用環境が改善される利点がある。
この発明の実施例によるハウジングタイプのゴルフシミュレーション装置（Ａ）において、本機ハウジング（１１０）の内部空間（Ｓ）とモニターの取り付け部（１２０）とを連結するように、本機背面支持部（１２０ｂ）の中央部には連通（１２０ｃ）が形成されていることを特徴とする。
本機のような連通孔（１２０ｃ）の構成によれば、モニター（２１０）から発生する熱をスムーズに放熱することができる利点がある。
【００２７】
この発明の実施例によるハウジングタイプのゴルフシミュレーション装置（Ａ）は、動的検出センサー（２２０）を設置できるように上機のモニターの取り付け部（１２０）から離隔されて上機ハウジング（１１０）の前面（１１０ａ）に形成されたセンサーの取り付け部（１３０）と、本機センサー取付部（１３０）に設置される動的感知センサー（２２０）が含まれていて構成されていることを特徴とする。
本機のセンサー取付部（１３０）は動的検出センサーの形状に応じてさまざまな形状に構成することができ、［２１９］から再度詳細に説明する。
この発明の実施例によるハウジングタイプのゴルフシミュレーション装置（Ａ）において、モニター（２１０）を保護することができるようにするために、本機のモニター取付部（１２０）を開閉し、閉じた場合にも、本機のモニターの取り付け部（１２０）に安置されたモニター（２１０）の画面を見ることができる投ドア（１４０）が含まれて構成されていることを特徴とする。
上機投光ドア（１４０）は、ハウジング（１１０）の前面（１１０ａ）に回転可能に取り付けられているヒンジ（１４０ａ）と投光パネル（１４０ｂ）で構成され、上機投光パネル（１４０ｂ）は、強化ガラスまたは強化アクリル板などの透明で耐衝撃性の材質で構成されている。
上機のような構成によれば、例えば、打撃されたゴルフボールが飛散して、衝撃があったとしても、モニター（２１０）を保護することができる利点がある。
【００２８】
この発明の実施例によるハウジングタイプのゴルフシミュレーション装置（Ａ）は、キーボード定着部（１８１）に安定的に到着したキーボード（２３０）が含まれて構成されていることを特徴とする。
また、この発明の実施例によるゴルフシミュレーション装置（Ａ）において、本機ゴルフシミュレーションのコンピュータは、モニター（２１０）に内蔵されて備えられることを特徴とする。したがって、この場合は、モニター（２１０）は、ゴルフシミュレーション、コンピュータを内蔵したコンピュータ内蔵ディスプレイ（２１０）になるのだ。
この発明の実施例によるハウジングタイプのゴルフシミュレーション装置（Ａ）において、本機ハウジング（１１０）の側には、ゴルフクラブ（Ｃ１）を掛けるための複数のクラブホック（１６１）が含まれて構成されていることを特徴とする。
これによれば、プレイヤーがシミュレーションゴルフ練習時にゴルフクラブ（Ｃ１）を保持するための別のゴルフクラブを保管の必要がなく、本機のクラブホック口（１６１）に簡単に収納できるので、無駄なスペースを使用を無くしてゴルフ練習場のスペースの使用率を向上させることができ、プレイヤーが他のゴルフクラブ（Ｃ１）を使用しようとする場合、従来のようなゴルフクラブが保管さで移動して、持って来る必要がなく、クラブのホック口（１６１）にゴルフクラブ（Ｃ１）を即座に使用できるので、利用者の使いやすさを向上させることができる利点がある。
【００２９】
上機のクラブホック口（１６１）の内面は下方傾斜斜面（１６１ａ）に形成されているが、これによれば、図３および図４によく示されるように、ゴルフクラブ（Ｃ１）が斜面（１６１ａ）の傾斜方向に傾けかかるが、特に、ユーザーがゴルフクラブ（Ｃ１）をクラブのホック口（１６１）に傾いてかけようと意識的に気を使わず、傾斜面（１６１ａ）の構造によってクラブホック口（１６１  ）にかけるだけで、自動的にゴルフクラブ（Ｃ１）が傾斜しているという利点がある。
もし、ゴルフクラブ（Ｃ１）が地面に垂直に保管した場合、ハウジング（１１０）の高さよりも高く位置するようになって、プレイヤーがスイング時にスイングしたゴルフクラブ（Ｃ１）が保管されているゴルフクラブ（Ｃ１）を打撃することになる問題が発生することがありますが、この発明による本機傾斜面（１６１ａ）を持つクラブホック口（１６１）は、これらの問題を解決できるようになるのだ。
また、複数のクラブホック口（１６１）には、各ゴルフクラブ（Ｃ１）にマッチングされるように、各クラブホック（１６１）ごとに番号が完備されていることを特徴とする。
【００３０】
この発明の実施例によるハウジングタイプのゴルフシミュレーション装置（Ａ）において、本機モニターの取り付け部（１２０）に安置されているモニター（２１０）が前方に倒れたり、この発明のハウジングにモニター（２１０）が安置されている状態で、移動時にモニター（２１０）の流動や揺れを防止することができるように、側面が本機ハウジング（１１０）の前面（１１０ａ）に固定され端が本機モニターの取り付け部（１２０）に安置されたモニター（２１０）を弾性的に押して支持することができるエタン部材（１３５）が含まれて構成されていることを特徴とする。
この発明の実施例によるハウジング（１１０）にあっては、設置ホーム（１３６）がハウジング（１１０）の前面（１１０ａ）に凹入形成され、エタン部材（１３５）は、図示されたように、上機取付溝（１３６）に固定設置される固定ピン（１３５ａ）と、本機固定ピン（１３５ａ）を中心に回転可能に設置されて設置ホーム（１３６）に入っているときはモニター（２１０）の弾性支持を解除し、設置ホーム（１３６）を超えて上機固定ピン（１３５ａ）を中心に、モニター（２１０）に向かって稼働されて、モニター（２１０）を弾性的に後方に押して支持してモニター（２１０）の流動や揺れを防止する回動エタン部材（１３５ｂ）で構成されていることを特徴とする。
本機のような構成によれば、底部（１２０ａ）に載置されて背面支持部（１２０ｂ  ）に背面が支持されて装着された状態で、エタン部材（１３５）がモニターの前面（１１０ａ）の上部を後方に押して支えるので、モニター（２１０）は、特に移動時に流動や揺れなく安全に無事に到着することができる利点がある。
【００３１】
また、ハウジング前面（１１０ａ）に設置された磁石（１４１）と、本機磁石（１４１）に磁気的に付着するように投光ドア（１４０）の先端部に備えられた金属片（１４２）が含まれていて構成されていることを特徴とする。
この発明の実施例によるハウジングタイプのゴルフシミュレーション装置（Ａ）において、本機ハウジング（１１０）の下側に設けられた複数のキャスター（１５１）が含まれて構成されていることを特徴とする。
本機のような構成によれば、この発明によるハウジング（１１０）を移動し、持ち運びが容易で、大きな力をかけずに、１人の作業者だけでも十分ハウジング（１１０）を移動や持ち運びが可能で、製品の設置が容易で、その結果、シミュレーション装置の移動設置が容易にでき、設置の空間的限界を克服することができる利点がある。
この発明の実施例によるハウジングタイプのゴルフシミュレーション装置（Ａ）において、プレーヤー（Ｃ１）の動作とプレイを撮影できるカメラ（１８５）が、本機ハウジング（１１０）の前面（１１０ａ）に設置されており、上機カメラ（１８５）が撮影した映像を保存できるユーエスビー記憶装置（図示せず）を接続することができる。複数のユーエスビーポート（１８６）が、上機ハウジング（１１０）の前面（１１０ａ）に備えられていることを特徴とする。
本機のような構成によれば、ユーザーがユーエスビーストレーデバイスをユーエスビーポート（１８６）に差し込めば、自分がプレイした映像データを保存して持って行くことができる利点がある。
【００３２】
この発明の実施例によるハウジングタイプのゴルフシミュレーション装置（Ａ）において、広告が表示された広告シート（１６２）が、上機ハウジング（１１０）の背面（１１０ｂ）に交換可能なように備えられていることを特徴とする。
上機の広告シート（１６２）は、背面（１１０ｂ）に備えられたシート固定具（１６３）によって固定されて設置されていることを特徴とする。
本機のように背面（１１０ｂ）の広告シート（１６２）を交換可能に備えたことにより、背面（１１０ｂ）は、打席のプレイヤーが正面に見ることができる場所であるため、プレイヤーに広告の表示回数が頻繁になって、広告効果を高めることができるという利点がある。又、交換可能な構成を採用しているので、広告収入を増加させることができる利点もある。
この発明の実施例によるハウジングタイプのゴルフシミュレーション装置（Ａ）において、本機ハウジング（１１０）の前面（１１０ａ）側面に形成された紙幣投入口（１６５）が含まれて構成されていることを特徴とする。
本機のような構成によれば、紙幣投入機（図示せず）を別々の機器で設置する必要がなく、この発明のハウジング（１１０）の内部空間（Ｓ）に設置することにより、スペースの使用率を向上させることができ、このように紙幣投入機を内部空間（Ｓ）に設置した場合本機紙幣投入口（１６５）を介して紙幣投入機に紙幣を投入することができるようになる。
【００３３】
この発明の実施例によるハウジングタイプのゴルフシミュレーション装置（Ａ）において、上面（１１０ｃ）は、キーボード（２３０）を装着するためのキーボード装着部（１８１）が凹入形成されており、ハウジング（１１０）の側面には、ラジエター（１８２）が形成されている。
この発明の実施例によるハウジングタイプのゴルフシミュレーション装置（Ａ）において、本機ハウジング（１１０）を打席間仕切りとして使用するためにゴルフ練習場の打席の番号（Ｎ１）を表示できるように、本機ハウジング（１１０）の側面には、打席番号表示部（１８７ａ）が備えられていることを特徴とする。
本機のような構成によれば、この発明によるハウジング（１１０）を打席間仕切り兼用でも使用できるため、別の打席仕切りを必要としない利点があり、その結果、シミュレーションゴルフ練習場の設置コストを削減することができる利点がある。
また、この発明の実施例においては、具体的には、本機の打席番号表示部（１８７ａ）は、プレイヤーの個人的な物事を置く事が出来る上面（１１０ｃ）から上方に突出形成された装飾部材（１８７）に設けられている。
【００３４】
一方、図５に示すように、モニター（２１０）の表面には、立体映像を見ることができようにするため、立体映像用偏光フィルム（２１１）が塗布されている。
図７は、この発明の実施例によるハウジングタイプのゴルフシミュレーション装置（Ａ）が備えられたゴルフ練習場（Ｐ）の構成例図が示されている。
図７に示すように、この発明によるハウジングタイプのゴルフシミュレーション装置（Ａ）が備えられたゴルフ練習場（Ｐ）は、本機ハウジングタイプのゴルフシミュレーション装置（Ａ）が打席間仕切りの役割をしながら、打席台ごとに備えられ、プレイヤーがゴルフボールを打撃する目標地点に視するためのターゲット幕（Ｔｇ）を含んで構成されていることを特徴とする。
本機のゴルフ練習場（Ｐ）は、屋内または屋外のいずれの場所でも実装が可能なゴルフ練習場により、従来のスクリーンを通って映像が投射される方式ではなく、モニター（２１０）で映像がすぐに表示されていることを特徴とする。
【００３５】
図８及び図９に示すように、この発明の他の実施例によるハウジングタイプのゴルフシミュレーション装置（Ａ）は、本機のモニター取付部（１２０）に安置されたモニター（２１０）が
打撃されたゴルフボールから保護されるように、本機ハウジング（１１０）の前面（１１０ａ）に設置され、本機モニター（２１０）の画面を見ることができる透光性材料のモニター保護手段（１４４）が含まれて構成されていることを特徴とする。
これによれば、打撃されたゴルフボールのモニター（２１０）に向かって飛散しても、モニター保護手段（１４４）が保護するため、安全な環境でゴルフシミュレーションゲームを楽しむことができようになる。
本機のモニターの保護手段（１４４）は、板状の強化ガラスまたは強化プラスチック構成されていることを特徴とする。
また、モニターの保護手段（１４４）を前面（１１０ａ）に装着するために締結ボルト（１４４ａ）を前面（１１０ａ）に形成された締結枠（１４４ｂ）に締結する。
【００３６】
次は、図１０乃至図１３に基づいて、別の実施例について説明する。
図１０乃至図１３に示すように、この発明の他の実施例によるハウジングタイプのゴルフシミュレーション装置（Ａ）は、打撃されたゴルフボール（ｂ１）から本機モニター（２１０）を保護するために、本機ハウジング（１１０）の前面（１１０ａ）から離隔設置されて、所定の角度になってモニター（２１０）の画面を見ることができる透光性材質として実装されているモニターカバー付き（１４４）と、本機モニターカバー付き（１４４）が所定の角度で立設するように本機モニターカバー付き（１４４）を支持する支持手段を含んで構成されていることを特徴とする。
図１０及び図１１に示すように、本機支持手段は、本機モニターカバー付き（１４４）の背面に、例えば接着手段やボルト（図示せず）に装着備えて本機モニターカバー付き（１４４）を支持する一対の第１支持部材（１４５）で構成されていることを特徴とする。
本機のようにワンペアーの第１支持部材（１４５）によれば、簡単な構成によってモニター
カバー付き（１４４）を容易に立てることができて、モニターカバー付き（１４４）の脱着が容易な利点がある。
【００３７】
そして、図１０乃至図１３に示すように、本機支持手段は、本機モニターカバー付き（１４４）の下端部を挿入して支持する第２支持部材で構成されていることを特徴とする。
図１０及び図１１に示すように、本機第２の支持部材は、本機モニターカバー付き（１４４）の下端部を内挿して支持する第１挿入溝（１９１ａ）が形成されているティーマット（１９１）で構成されていることを特徴とする。
本機のようにティーマット（１９１）の第１挿入溝（１９１ａ）を直線状に形成し、この第１挿入溝（１９１ａ）にモニターカバー付き（１４４）を挿入すると、モニターカバー付き（１４４）を支持することができていて、ここに付加的に相機器第１支持部材（１４５）を設置すると、保持力を強化できるようになる。
したがって、別の部材を採用していなくても、既存のティーマットを利用することができて生産コストを節約することができる利点がある。
図１３に示すように、本機第２の支持部材は、床に載置されているベース（１９４）と、本機ベース（１９４）から上方に延長突出され、本機モニターカバー付き（１４４）の下端部を内挿できる第２挿入溝（１９４ａ´）が形成されており、本機モニターカバー付き（１４４）を支持する支持台（１９４ａ）で構成されていることを特徴とする。
【００３８】
一方、図１２に示すように、本機支持手段は、本機モニターカバー付き（１４４  ）の下部の前後に延長され折曲形成されたベースプレート（１９２）で構成されていることを特徴とする。
本機ベースプレート（１９２）は、モニターカバー付き（１４４）と一体に形成されることも、ラバーやゴムなどのように摩擦力が大きい材質で構成することにより、モニターカバー付き（１４４）の滑りを防止することができる利点がある。
この発明によるゴルフシミュレーション装置において、動的検出センサーは、本機図６に示された形態のほか、様々な情報の動的な検出センサーが備えられることがあるが、図１４図１８にその例が開示されている。
【００３９】
図１４及び１５に示されるように、この発明の他の実施例によるゴルフシミューション装置は、本機のモニター取付部（１２０）から離隔されて本機ハウジング（１１０）の前面（１１０ａ）は、安着台収容部（１３１）が凹入形成されており、動的検出センサー（２２０´）を安着具備することができるように安着ホーム（Ｋａ）が形成されており、本機安着台収容部（１３１）に出没可能に設けられるセンサーの装着台（Ｋ）が含まれていて構成されていることを特徴とする。
本機安着台収容部（１３１）は、図１４に示すように、動的感知センサー（２２０´）がこの方向に出没するようにモニターを設置する部（１２０）の左側または右側に位置して前後方向に長方形になるように形成されることもあり、図１５に示すように、動的検出センサー（２２０´）が方向に直交する水平方向に出没するようにモニター取付部（１２０）の下に位置して横方向に長方形になるように形成することもする。
【００４０】
図１６乃至図１８に示すように、この発明の他の実施例によるゴルフシミューション装置は、動的検出センサー（２２０″）が挿入されるように、本機モニター取付部（１２０）から離隔されて本機ハウジング（１１０）の前面（１１０ａ）に凹入形成されたセンサー挿入部（１３２、１３３）を含んで構成されることを特徴とする。
そして、本機センサー挿入部（１３２、１３３）は、Ｌ字型または（一）字型に形成されるが、本機Ｌ字型か一字型のセンサー挿入部（１３２、１３３）は、動的検出センサー（２２０″）と型を合わせられるように、内面は湾曲形成されていることを特徴とする。
また、この発明によるゴルフシミュレーション装置（Ａ）において、本機ハウジング（１１０）の一側に備えられる動的感知センサー（２２０、２２０´、２２０″）が動作するための一定の照明値以上の照明を提供する照明手段（１５２  ）が含まれて構成されていることを特徴とする。
動的感知センサー（２２０、２２０´、２２０″）は、一定の照明以上でのみ動作するので、ハウジング本体の側面のゴルフティーに向くように照明手段を備えたことにより、暗い環境でも動的感知センサーがゴルフティーに置かれたゴルフボールをスムーズに認識することができる利点があり、また、動的感知センサーがゴルフティーに置かれたゴルフボールを認識することができる程度の照明のみを提供することにより、不必要なエネルギーが無駄になることを予防し、エネルギーを節約することができる利点がある。
【００４１】
次は、図１９乃至図２３に基づいて、この発明の他の実施例について記述する。
この発明によるゴルフシミュレーション装置（Ａ）は、本機底部（１２０ａ）と背面支持部（１２０ｂ）に安置されているモニター（２１０）が後方に傾いている傾斜角度を調節するためのモニター傾斜角度調整手段を含んで構成されていることを特徴とする。
そして、本機モニター傾斜角度調整手段は、本機背面支持部（１２０ｂ）の傾斜角度（θ）を調節することにより、モニター（２１０）の傾斜角度を調節する支持台傾斜調節手段（１２２）で構成されている。
本機支持台傾斜調節手段（１２２）は中央部にねじ溝が形成されたスクリューボール（１２２ａ´）が形成されており、本機ハウジング（１１０）の側面［例えば、図２０に図示のようにハウジング（１１０）の背面（１１０ｂ）］に固定備えられるナット（１２２ａ）と、外周面には本機ナット（１２２ａ）のスクリューボール（１２２ａ´）とネジ山が形成されていて本機ナット（１２２ａ）のスクリューボール（１２２ａ´）に値が合っており、先端が本機背面支持部（１２０ｂ）を支持しており、後段に接続された外部の回転手段（図示せず）が回転すると、その外部回転手段の回転に応じて前後に移動動作し、本機モニタースタンド（１２０ｂ）の傾きを調節する動作スクリューロッド（１２２ｂ）を含む構成されていることを特徴とする。
本機のような構成によれば、モニター（２１０）をハウジング（１１０）に備えて、１つのモジュールとして管理、利用、および移動することができ、また、背面支持部（１２０ｂ）の傾斜角度を調節することにより、モニター（２１０）の傾きを調節することができる利点がある。
【００４２】
一般的にゴルフシミュレーション装置に使用されるモニター（２１０）は、体積が大きく、重量がかなり重くて、モニター（２１０）自体を傾斜させる為に、複雑な傾斜装置が必要とするため、設置費用がかかりますが、この発明のように、モニター（２１０）自体ではなく、モニター（２１０）の背面が支持され、背面支持部（１２０ｂ）の傾斜角度を調節する手段を採用することにより、簡単にモニター（２１０）の傾きを調整ができて製品のコストを削減することができる利点がある。
また、プレイヤーは自分のプレイ好みに合うように背面支持部（１２０ｂ）の傾斜角度を調節して、モニター（２１０）の傾きを調節できるので、自分のお好みに合うように背面支持部（１２０ｂ）を後方に傾けると、ゴルフボール（ｂ１）とモニター（２１０）を同一視野圏に入ってくるようにすることができて、プレイヤーがモニター（２１０）を見るために首を意識的に持ち上げる回す必要がなく、モニター（２１０）を最も楽な姿勢で見ることができ、したがって、プレーヤーのための使用環境が改善される利点がある。
【００４３】
また、この発明の実施例によるハウジングタイプのゴルフシミュレーション装置（Ａ）において、本機背面支持部（１２０ｂ）の円滑な傾斜調整のために背面支持部（１２０ｂ）は、底部（１２０ａ）に回転可能に設置されることが望ましい。
この時、背面支持部（１２０ｂ）と底部（１２０ａ）を回転可能に接続する構成は、例えばヒンジ（１２１）によって接続されることがある。
そして、本機の動作スクリューロット（１２２ｂ）の後段には、動作ネジ棒（１２２ｂ）を回転させるための外部回転手段が構成されることもあり、本機外部回転手段は、例えば、動作スクリューロット（１２２ｂ）の後端に装着されて外力によって動作スクリューロッド（１２２ｂ）を強制的に回転させるためのユーザーが把持することができるレバー（図示せず）で構成されることがあり、または駆動モーター（図示せず）と、本機駆動モーターに接続されてモーターの回転を直線運動に変換する運動変換装置（例えば、ピニオンとラック）で構成することもあるだろう。
【００４４】
この発明の実施例によるハウジングタイプのゴルフシミュレーション装置（Ａ）において、本機の動作スクリューロット（１２２ｂ）の先端に固定されて本機背面支持部（１２０ｂ）を支持する支持片（１２３ａ）が含まれて構成されていることを特徴とする。
本機のような構成によれば、動作スクリューロット（１２２ｂ）が背面支持部（１２０ｂ）と届く面積を広げることによって傾斜角度調節動作をより一層円滑にすることができる利点がある。
この発明の実施例によるハウジングタイプのゴルフシミュレーション装置（Ａ）において、伸縮性の材質で構成され、一面が本機支持片（１２３ａ）に固定され、他の面が、本機背面支持部（１２０ｂ）に密着された緩衝部材（１２３ｂ）が含まれて構成されること特徴とする。
本機のような構成によれば、背面支持部（１２０ｂ）の傾き動作によって背面支持部（１２０ｂ）と支持片（１２３ａ）との間の間隙に発生することがありますが、背面支持部（１２０ｂ）と支持片（１２３ａ）の間に緩衝部材（１２３ｂ）の緩衝の役割によって、これらの隙間の発生を未然に防止することができる利点がある。
本機緩衝部材（１２３ｂ）は、例えばラバー（ｒｕｂｂｅｒ）、軟質プラスチック、発泡樹脂などのように伸縮性の材質で構成されていることが望ましい。
【００４５】
図２１に示すように、この発明の他の実施例によるハウジングタイプのゴルフシミュレーション装置（Ａ）において、本機支持台の傾斜調節手段（１２４）は、本機ハウジング（１１０）の側面に装着された回転手段（１２４ａ）と、本機回転手段（１２４ａ）の回転駆動によって回転する回転スクリューロッド（１２４ｂ）と、ねじ溝が形成されたスクリューボール（１２４ｃ´）が貫通完備されており、本機回転スクリューロッド（１２４ｂ）に本機スクリューボール（１２４ｃ´）が合わさって本機回転スクリューロッド（１２４ｂ）の回転に応じて前後に移動する移動プレート（１２４ｃ）と、本機移動プレート（１２４ｃ）に立設されて背面支持部（１２０ｂ）を支持している支持棒（１２４ｄ）を含んで構成されていることを特徴とする。本機回転手段（１２４ａ）は、例えば、モーターで構成することができる。
【００４６】
モニター（２１０）を傾ける動作について説明する。
ナット（１２２ａ）と合わさっている動作スクリューロット（１２２ｂ）が前方に前進するように動作
スクリューロッド（１２２ｂ）を回転させる動作スクリューロット（１２２ｂ）が前進して背面支持部（１２０ｂ）を前方に押す。
背面支持部（１２０ｂ）が前方に力を受けると背面支持部（１２０ｂ）は、底部（１２０ａ）に対して反時計方向に回転し、背面支持部（１２０ｂ）が反時計方向に回転すると、背面支持部（１２０ｂ）の背面が寄り添って支持されているモニター（２１０）が一緒に反時計方向に回転して傾斜角（θ１、θ１＜θ２）が小さくなり、モニター（２１０）が前方に傾く。
次のようにモニター（２１０）の傾斜角度を大きくして後方に、より多くの折りたたむようにするためには、動作スクリューロット（１２２ｂ）を逆回転すると、動作スクリューロッド（１２２ｂ）が後方に後退し、この時、モニター（２１０）と背面支持部（１２０ｂ）は、一緒に自重によって自動的に時計回りに回転するようになって傾いた角度（θ２）が大きくなる。
このように、モニター（２１０）の角度を大きくする場合には、モニター（２１０）と背面支持部（１２０ｂ）が自重によって回転することができるので、動作スクリューロット（１２２ｂ）に小さな回転力のみを作用しても、十分な回転動作をさせることができるようになるだろう。
【００４７】
一方、図２１に開示されたこの発明の他の実施例によるハウジングタイプのゴルフシミュレーション装置（Ａ）における動作を説明する。
回転手段（１２４ａ）のモーターが動作する回転スクリューロッド（１２４ｂ）が回転し、回転スクリューロッド（１２４ｂ）が回転すると、移動プレート（１２４ｃ）がモーターの回転方向に沿って前方に前進するか、または後方に後退するようになり、移動プレート（１２４ｃ）の前進または後退のため、支持棒（１２４ｄ）が前進または後退する。
タイロッド（１２４ｄ）が進むと背面支持部（１２０ｂ）が前方に力を受けて背面支持部（１２０ｂ）は、底部（１２０ａ）に対して反時計方向に回転し、背面支持部（１２０ｂ）が反時計方向に回転すると同時にモニター（２１０）が一緒に反時計方向に回転して傾斜角（θ１）が小さくなる。
【００４８】
一方、支持棒（１２４ｄ）が後退すると、モニター（２１０）と背面支持部（１２０ｂ）は、一緒に自重によって時計回りに回転するようになって傾いた角度（θ２）が大きくなるようになることは前述したとおりである。
次の２４及び図２５に基づいて、この発明の他の実施例について説明する。
この発明の実施例によるハウジングタイプのゴルフシミュレーション装置（Ａ）は、本機ハウジング（１１０）の前面［特に、モニター（２１０）］に雨（ｒａｉｎ）が入ってくるのを防ぐことできように、本機ハウジング（１１０）に設置される雨よけ（１５３）を含めて構成されること特徴とする。
これによれば、ハウジングタイプのゴルフシミュレーション装置（Ａ）が屋外ゴルフ練習場（Ｐｏ）に設置された場合は、屋外ゴルフ練習場（Ｐｏ）の屋根（Ｒ）の下の前方から雨が降ってきても、雨を防ぐことができて、ゴルフシミュレーション装置、特に、モニター（２１０）を保護することができる利点がある。
【００４９】
この発明の実施例によるハウジングタイプのゴルフシミュレーション装置（Ａ）において、本機以外の雨よけ（１５３）は、およそ「¬（カギ）」字状に実装され、本機ハウジング（１１０）の側面（１１０ｅ）に設置されて側方から本機モニター（２１０）には雨（ｒａｉｎ）を防ぐための側方雨よけ（１５３ａ）と、本機側方雨よけ（１５３ａ）から延長曲げて上方から本機モニター（２１０  ）には雨を防ぐための上方膜（１５３ｂ）に構成されていることを特徴とする。
一方、本機雨よけ（１５３）は、ボルトとナットをはじめとする様々な公知の締結手段によってハウジング（１１０）に装着することができるだろう。
この発明の実施例によるハウジングタイプのゴルフシミュレーション装置（Ａ）において、本機センサー取付部（１３０）に設置された動的感知センサー（２２０）には入ってくる雨（ｒａｉｎ）を防ぐために、本機以外の雨よけ（１５３）の側方雨よけ（１５３ａ）は、本機センサー取付部（１３０）が形成された側の側面（１１０ｅ）に設置されていることを特徴とする（図２４、図２５を参照）。
【００５０】
図２６乃至図３５に開示された実施例について説明する。
図２６乃至図３５に開示されたように、この発明の実施例によるハウジングタイプのゴルフシミュレーション装置（Ａ）は、本機ハウジング（１１０）の前面（１１０ａ）の下側には、ゴルフボールフィーダ（２５０）のアーム（２５３  ）が出没するようにアームの出没口（１１２）が形成されていて、ハウジング（１１０）の内部空間（Ｓ）に設置され、アーム出没口（１１２）を介してゴルフボール（ｂ１）をハウジング（１１０）の外部に供給しているゴルフボールフィーダ（２５０）を含めて、構成されていることを特徴とする。
この発明の実施例によるハウジングタイプのゴルフシミュレーション装置（Ａ）において、
本機ゴルフボールフィーダ（２５０）は、供給されたゴルフボール（ｂ１）が安着される安着リング（２５４）と、本機定着リング（２５４）ゴルフボールが安着されたことを検出して検出信号を出力するボール感知センサー（２５５）と、本機ボール感知センサー（２５５）から出力される信号に基づいて、モーター（２５１）を駆動するためのモーター駆動信号を出力する制御基板（図示せず）と、本機制御ボード（図示せず）から出力されるモーター駆動信号によって駆動するモーター（２５１）と、先端には、本機定着リング（２５４）が設置されており、本機モータ（２５１）の駆動に応じて回転して本機アーム出没口（１１２）を出没してハウジング１１０の外部にゴルフボール（ｂ１）を供給する回転アーム（ａｒｍ）（２５３）を含んで構成されることを特徴とする。
【００５１】
この発明の実施例によるハウジングタイプのゴルフシミュレーション装置（Ａ）は、モーター（２５１）の回転を回転アーム（２５３）に伝達するための動力伝達部材が含まれていて構成されている。
本機動力伝達部材は、モーター（２５１）の回転に応じて回転するモータープーリー（２５２ａ）と本機モータープーリー（２５２ａ）に巻き取られたベルト（２５２ｂ）と、本機ベルト（２５２ｂ）に接続されたアームプーリ（２５３ｃ）と、回転するアームプーリー（２５２ｃ）の回転軸（２５２ｃ´）が側面に立設されて固定されており、アームプーリー（２５２ｃ）が回転に連動して回転し、本機回転アーム（２５３）の後端が固定されており、回転に応じて回転アーム（２５３）を回転させる回転プレート（２５２ｄ）で構成されている。
【００５２】
また、この発明の実施例によるハウジングタイプのゴルフシミュレーション装置（Ａ）は、本機回転プレート（２５２ｄ）には、固定設置されたアームの回転検出編（２５７）と、本機アームの回転検出編（２５７）が検出範囲内にあるかどうかをもとに、回転アーム（２５３）の回転状態、すなわち、ハウジング１１０の内部空間（Ｓ）に入ってカールしているか、ゴルフティー（Ｔ）でゴルフボール（ｂ１）を供給するために回転された状態にあるかを検出するアームの回転検出センサー（２５６）が含まれて構成されていることを特徴とする。
つまり、回転アーム（２５３）が折れなってアームの回転検出編（２５７）がアームの回転検出センサー（２５６）内に位置、または回転アーム（２５３  ）ゴルフティー（Ｔ）でゴルフボールを供給するために回転されてアームの回転検出編（２５７）がアームの回転検出センサー（２５６）から離脱された場所にあれば、アームの回転検出センサー（２５６）は、各状態に対応する電圧信号をマザーボードに出力する。
【００５３】
この発明の実施例によるハウジングタイプのゴルフシミュレーション装置（Ａ）において、本機ハウジング（１１０）に備えて、本機ゴルフボールフィーダ（２５０）に供給されるゴルフボール（ｂ１）を保管している倉庫（２６０）と、本機倉庫（２６０）から提供されるゴルフボール（ｂ１）を、本機ゴルフボールフィーダ（２５０）に供給される通路である移送パイプ（Ｂｒ）が含まれていて構成されていることを特徴とする。
この発明の実施例によるハウジングタイプのゴルフシミュレーション装置（Ａ）において、本機のライブラリ（２６０）の内部には、ゴルフボール（ｂ１）を円滑に提供するため、複数のライブラリレール（２６９）が設置されていることを特徴とする。
符号（２５０ａ）は、ゴルフボールフィーダの構成を装着するためのフィーダベースとして、ハウジング（１１０）の底面（１１０ｄ）に設置される。
【００５４】
この発明の実施例によるハウジングタイプのゴルフシミュレーション装置（Ａ）において、本機のライブラリ（２６０）の前面（２６０ａ）には、ライブラリのホック（２６８）が突出形成されており、本機ライブラリハンガー（２６８）にかかるように、本機ハウジング（１１０）の側面（１１０ｅ）の側面には、ハンガーホール（１１４）が形成されており、本機のライブラリ（２６０）の前面（２６０ａ）は、倉庫（２６０）に保管されたゴルフボール（ｂ１）が抜けていく穴の出口（２６２）が形成されていて、本機の出口（２６２）と連通するよう、本機ハンガーホール（１１４）の下で、本機のハウジング（１１０）の側面（１１０ｅ）は、通過口（１１１）が形成されており、本機移送パイプ（Ｂｒ）の入口は、本機通過口（１１１）に接続されていることを特徴とする。
この発明の実施例によるハウジングタイプのゴルフシミュレーション装置（Ａ）において、本機ゴルフボールフィーダ（２５０）の定着リング（２５４）ゴルフボール（ｂ１）を供給するように、本機移送パイプ（Ｂｒ）の出口（２６２）は、ゴルフボールフィーダ（２５０）に接続されている。
さらに望ましくは、本機移送管（Ｂｒ）から移送されるゴルフボール（ｂ１  ）をさらに正確本機定着リング（  ２５４  ）に安着させるために、定着リング（２５４）と移送パイプ（Ｂｒ）の出口を接続するフィーダーのガイドレール（２５８）ゴルフボールフィーダ（２５０）に備えられることを特徴とする。
【００５５】
この発明の実施例によるハウジングタイプのゴルフシミュレーション装置（Ａ）において、本機のライブラリ（２６０）の前面（２６０ａ）に相互離隔設置される一対のスライドガイド溝（２６４）と、本機スライドガイド溝（２６４）に上下にスライド可能に設置されて自重によって本機スライドガイド溝（２６４）に沿って下降して本機倉庫（２６０）の出口（２６２）を閉じてゴルフボール（ｂ１）が抜けて出てくることを防止し、外力が作用する場合、本機スライドガイド溝（２６４）に沿って上昇し、本機倉庫（２６０）の出口（  ２６２）を開くシャッター（２６６）と、本機シャッター（２６６）の前面に突出した開放ドルジョ（２６６ａ）と、本機倉庫（２６０）をハウジング（１１０）にかけるために本機のライブラリハンガー（２６８）を本機ハンガーホール（１１４）に徒歩で本機ライブラリ（２６０）を下方に下げる場合は、本機開放ドルジョ（２６６ａ）と接触して本機シャッター（２６６）に対して上方に上昇させる相対運動を作用するように、本機通過口（１１１）の上側で本機ハウジング（１１０）の側面（１１０ｅ）から外方に突出形成された止めドルジョ（１１３ａ）が含まれていて構成されていることを特徴とする。
本機のような構成によれば、ライブラリをハウジングに徒歩で設置する場合には、ライブラリにあったゴルフボールが自動的に移送管を通ってゴルフボールフィーダに供給されて、ライブラリをハウジングから取外しする場合には、ライブラリの出口を自動的に閉鎖し、移送パイプで提供されているゴルフボールの供給を自動的に遮断することができる効果がある。
【００５６】
本機のように、スライドガイド溝（２６４）に沿って上下にスライドし、出口（２６２）を開閉することができるシャッター（２６６）を設置するための構成について具体的に記述する。
ハウジング（１１０）の側面（１１０ｅ）は、中空ホール（２６４ａ）が形成され、本機中空ホール（２６４ａ）の左右の内装に、本機ワンペアーのスライドガイド溝（２６４）を形成し、本機中空ホール（２６４ａ）と連通する出口（２６２）が形成されていて本機中空ホール（２６４ａ）を部分的にカバーする出口プレート（２６２´）が中空ホール（２６４ａ）が形成されたハウジング（１１０）の側面（１１０ｅ）内側に装着すると、スライドガイド溝（２６４）に沿って上下にスライドしながら出口（２６２）を開閉することができるシャッター（２６６）を設置することができる。
【００５７】
今のゴルフボールを供給する動作について説明する。
図３３は、倉庫（２６０）がハウジング（１１０）から取外してシャッター（２６６）が自重によって下に降りて来て、出口（２６２）が閉鎖した状態の要部の動作セクションが示されており、図３４には、倉庫（２６０）がハウジング（１１０）の側面（１１０ｅ）に装着されてシャッター（２６６）が上に上がって出口（２６２）が開放された状態の要部の動作セクションが図示されている。
ライブラリのハンガー（２６８）をハンガーホール（１１４）に取り付けるにはライブラリのハンガー（２６８）をハンガーホール（１１４）に入れた後、倉庫（２６０）を下に下る。
【００５８】
倉庫（２６０）に保管されたゴルフボール（ｂ１）が自動的にゴルフボールフィーダ（２５０）に供給される過程について述べる。
ライブラリのハンガー（２６８）がハンガーホール（１１４）に入れられた状態で、倉庫（２６０）を下に下がってくると、シャッター（２６６）の前面に突出した開放ドルジョ（２６６ａ）が止めドルジョ（１１３ａ）に接触するようになって倉庫（２６０）自体は下に下がるが開放ドルジョ（２６６ａ）があるシャッター（２６６）は、止めドルジョ（１１３ａ）によって下がらず阻止されるため、倉庫（２６０）が下に下がるため、シャッター（２６６）は、スライドガイド溝（２６４）を乗って相対的に上に上昇する相対運動をすることになる。
本機のようにシャッター（２６６）がスライドガイド溝（２６４）に乗って、相対的に上上昇することになると出口（２６２）が開いてライブラリ（２６０）に保管されていたゴルフボール（ｂ１）が出口（２６２）、通過口（１１１）を介して移送パイプ（Ｂｒ）に入ってくるようになり、以来、ゴルフボールフィーダ（２５０）に入る。
【００５９】
次のようにライブラリ（２６０）をハウジング（１１０）から取外して、シャッター（２６６）を自動的に降りて出口（２６２）を閉鎖する動作について述べる。
倉庫（２６０）をハウジング（１１０）から取外した場合、シャッター（２６６）の降下を阻止していた止めドルジョ（１１３ａ）から開放ドルジョ（２６６ａ）の接触が解除されると同時にシャッター（２６６）は、自重によって自動的にスライドガイド溝（２６４）に乗って下に降りて行って、出口（２６２）を閉鎖させ、したがって、ライブラリにあったゴルフボール（ｂ１）は、倉庫（２６０）外に出なくなるだろう。
【００６０】
図３６乃至図３８に基づいて、冷暖房の供給が可能なハウジングタイプのゴルフシミュレーション装置（Ａ）について説明する。
図３７に示された矢印は冷気や温気の流れを示しており、図３８に図示された矢印は、温気の流れを示している。
図３６乃至図３８に示すように、この発明の実施例によるハウジングタイプのゴルフシミュレーション装置（Ａ）は、冷気や温気が吐出するように本機ハウジング（１１０）の側面に形成された吐出口（１７０）と、ゴルフ練習場の空気が流入するように本機ハウジング（１１０）の他側に形成された流入口（１７２）と、本機内部空間（Ｓ）に設けられ、本機流入口（１７２）から流入する空気と熱交換して冷気や温気を生成される熱交換器（２８１）を含んで構成されることを特徴とする。
本機のような構成によれば打席ハウジング（１１０）内部からの冷気や温気が吐出され、吐出される冷気と温気の直近の距離にあるプレイヤーにすぐに（ｄｉｒｅｃｔｌｙ）送風されるので、冷暖房効率を高めることができ、特にこの発明によるシミュレーション装置（Ａ）をゴルフ練習場に設置する場合には、これ打席間仕切りとして利用できるので、ゴルフ練習場空間全体について空調設備を運転する必要がする場合は、より多くのエネルギーを大幅に削減することができる利点がある。
【００６１】
本機熱交換器（２８１）は、冷房手段として機能している場合には、蒸発器として動作して暖房手段として機能している場合には、凝縮器として動作する。
また、この発明の実施例においては、本機流入口（１７２）に外気を強制的に吸引し、本機熱交換器（２８１）で生成された冷気や温気を、本機吐出口（１７０）に強制的に吐出するために、本機熱交換器（２８１）の上方から本機内部空間（Ｓ）に完備された送風機（２８２）を含んで構成されることを特徴とする。
本機吐出口（１７０）には、吐出される冷気や温気の方向を調節できるようにエアガイド（１７１）が設置されていることを特徴とする。
【００６２】
この発明の実施例によるハウジングタイプのゴルフシミュレーション装置（Ａ）は、本機熱交換器（２８１）が冷気や温気を生成することができるように、本機熱交換器（２８１）と冷媒管（図示せず）に接続されて熱交換サイクルを構成するための圧縮機（図示せず）、第２熱交換器（図示せず）と膨張弁（図示せず）が備えられることを特徴とする。
本機熱交換器（２８１）と一緒に熱交換サイクルを構成する圧縮機、第２熱交換器と膨張弁は、設置と使用の環境により、ハウジング１１０の内部空間（Ｓ）に完備され、又はハウジング１１０の外部空間のいずれかであるところに備えられることを特徴とする。
本機圧縮機は、熱交換器（２８１）と、冷媒管に接続されて冷媒を高温高圧で圧縮して循環させ、本機第２の熱交換器は、本機圧縮機と冷媒管に接続され、本機熱交換器（２８１）が蒸発器として動作する場合には、凝縮器として動作し、本機熱交換器（２８１）が凝縮器として動作する場合には、蒸発器として動作し、本機膨張弁は、本機熱交換器（２８１）と第２熱交換器の間に設置されて本機熱交換器と第２の熱交換器のいずれかの熱交換器から凝縮されて流入される冷媒を低圧で断熱膨張させた後、もう一方の熱交換器に提供する。
【００６３】
そして、コンプレッサー、第２熱交換器、膨張弁と熱交換器（２８１）を含めて、構成されている熱交換サイクルを冷房サイクルと暖房サイクルを兼用することで運転しようとする場合には、本機圧縮機に接続され、本機圧縮機で圧縮された冷媒を冷房サイクルまたは暖房サイクルの種類に応じて本機熱交換器（２８１）と循環したり、本機第２の熱交換器に循環させる四方弁が含まれて
構成されている。
したがって、この発明による熱交換器の冷気を生成する冷却装置として機能したり、温気を生成する暖房装置として機能することもでき、この時、暖房装置に設置されている熱交換器と冷房装置に設置された熱交換器は別個独立に実装されることもでき、または１つの熱交換サイクル装置から四方弁を付加的に備えて冷媒の循環方向を選択的に変換させて暖房サイクルと冷房サイクルを選択的に駆動させて一つの熱交換器として、冷気や暖気を選択的に生成することができる、いわゆる冷暖房兼用でも機能することができる。
本機の熱交換サイクルにおいては、熱交換効率を高めるための第２の熱交換器ファン（図示せず）が第２熱交換器に備えられ、また、他の必要に応じて冷暖房の効率を高めるために様々な構成が付加的に備えられることがあるが、これらの技術的構成は、この発明の出願前に既に公知の技術であるため、詳細な説明は、省略する。
【００６４】
図３８に示すように、この発明の他の実施例によるハウジングタイプのゴルフシミュレーション装置は、周囲の空気を加熱して排出口（１７０）にエクスポートヒーティング手段（２８３）が内部空間（Ｓ）に備えられていることを特徴とする。
本機加熱手段（２８３）は、電気抵抗によって熱を発生する熱線や、誘導加熱方式を用いた誘導ヒーターなどで構成され、周囲の空気に熱を提供して加熱する方法は、すべて本願発明の技術的範囲に属することは、もちろんだ。
また、この発明の他の実施例の場合にも、本機流入口（１７２）に空気を強制的に吸引し、本機ヒーティング手段（２８３）によって加熱された空気を本機排出口（１７０）に強制的に排出するように、本機加熱手段（２８３）の後端から本機内部空間（Ｓ）に備えられる送風機（２８２）を含んで構成されることを特徴とする。
本機加熱手段（２８３）の後方には、ヒーティング手段（２８３）の熱が排出口（１７０）にうまく流れるように熱を反射する反射板（２８４）が完備されていることを特徴とする。
この発明の実施例においては、本機熱交換器（２８１）を凝縮器として動作させて温気を生成するようにする動作モードである暖房モードを運転するためのスイッチである暖房モードスイッチは、本機熱交換器（２８１）を蒸発器として動作させて冷気を生成できるようにする動作モードである冷房モードを運転するためのスイッチである冷房モードスイッチと、ヒーティング手段の動作スイッチなどが備えられている操作パネル（図示せず）が含まれることに備えられることを特徴とする。本機の操作パネルは、ハウジング（１１０）のいずれかに設置されることもあり、ハウジング１１０から離隔されて設置されることもある。
【００６５】
図３９乃至図４１に基づいて商品券を排出する機能を持っているハウジングタイプのゴルフシミュレーション装置（Ａ）について説明する。
図３９乃至図４１に示すように、この発明の実施例によるハウジングタイプのゴルフシミュレーション装置（Ａ）において、本機ゴルフシミュレーションコンピュータ（２０１）は、動的感知センサー（２２０）から入力されるゴルフボールの動的情報に基づいた「現在のプレイ状態関数」を抽出し、抽出された現在のプレイ状態関数が内部に基保存されている商品券の贈呈の対象となるプレイの状態関数である商品券進呈プレイ状態関数」に該当する場合には、商品券の排出信号を出力し、ハウジング１１０の内部空間（Ｓ）に設けられ、本機のゴルフシミュレーションコンピュータ（２０１）からのギフト券排出信号を受信した場合、商品券（ｇ−１）を排出するギフト券インジェクター（２７０）が含まれて構成されていることを特徴とする。
本機の商品券のインジェクター（２７０）は、商品券（ｇ−１）をロードして、内部のモーター、駆動ローラー、ベルト等の駆動によって出口（２７０ａ）を介してロードされたバウチャー（ｇ−１）を排出する構成としては、それ自体は、本願発明の出願前に通常の技術者に公知された構成なので、その詳細な説明は省略する。
【００６６】
この発明の実施例によるハウジングタイプのゴルフシミュレーション装置（Ａ）において、本機ギフト券インジェクター（２７０）から排出される商品券（ｇ−１）がハウジング（１１０）の外部に排出されるよう、前記ハウジング（１１０）の前面（１１０ａ）には、ギフト券排出口（１１５）が形成されていることを特徴とする。
この発明の実施例によるハウジングタイプのゴルフシミュレーション装置（Ａ）において、本機ハウジング（１１０）の内部空間（Ｓ）には、本機のギフト券のイジェクター（２７０）ウィットできる気の利いた台（Ｅ１）が設置されていて、本機ハウジング（１１０）の背面（１１０ｂ）は、本機気の利いた台（Ｅ１）が設置された内部空間（Ｓ）を開閉するドア（Ｄｒ）が備えられていることを特徴とする。
この発明の実施例によるハウジングタイプのゴルフシミュレーション装置（Ａ）において、本機ゴルフシミュレーションコンピュータ（２０１）には、ギフト券のプレゼント対象となるプレイの状態関数である「ギフトカード進呈プレイ状態関数」が記憶された状態関数の情報保存部（図示せず）が備えられていて、現在のプレイ状態関数が上記の状態関数の情報保存部（図示せず）に格納されて商品券を贈呈プレイ状態関数に該当する場合、商品券排出信号を本機ギフト券インジェクター（２７０）に出力することを特徴とする。
この発明の一実施例によるハウジングタイプのゴルフシミュレーション装置（Ａ）において、ギフト券贈呈モードと通常モードを選択するコマンドを入力するサービスモード選択部（２０５）が含まれて構成されていることを特徴とする。
【００６７】
図３９に示すように、サービスモード選択部（２０５）には、プレイヤーのゲームが設定されたプレイに該当する場合、商品券を排出して贈呈するサービスモードである「ギフト券進呈モード」の実行をコマンド入力するユーザーインターフェイスギフト券贈呈モード選択ボタン（２０５ａ）と、特定のプレイに対応しても商品券を贈呈していない通常のシミュレーションゲームモードである「通常モード」の実行を命令入力する通常モード選択ボタン（２０５ｂ）が備えられています。
そして、本機ゴルフシミュレーションコンピュータ（２０１）は、本機サービスモード選択部（２０５）からのギフト券をプレゼントモードでの実行コマンドが入力されるかを判断し、受信したギフト券贈呈モードでの実行コマンドに基づいて、選択された商品券を贈呈モードに対応する商品券贈呈プレイの状態関数を本機の状態の関数情報格納部（図示せず）からの内部メモリ（図示せず）にロードして、現在のプレイ状態関数が本機の状態関数の情報保存部（図示せず）に格納されて商品券を贈呈プレイ状態関数に該当する場合、商品券排出信号を本機ギフト券インジェクター（２７０）に出力することを特徴とする。
この発明の実施例によるハウジングタイプのゴルフシミュレーション装置（Ａ）において、本機の商品券をプレゼントプレイは、連続バーディー、イーグル、ホールインワン、アルバトロス、最低他のいずれかであることを特徴とする。
【００６８】
商品券を排出して贈呈する動作について述べる。
まず、プレイヤーがサービスモード選択部（２０５）の商品券をプレゼントモード選択ボタン（２０５ａ）を押して、商品券進呈モードでの実行コマンドが入力されるかを判断し、本機サービスモード選択部（２０５）からのギフト券をプレゼントモードでの実行コマンドが受信された場合には、受信されたギフト券をプレゼントモードのコマンドに基づいて、選択された商品券を贈呈モードに対応するギフト券進呈プレイの状態関数を本機の状態の関数情報格納部（図示せず）からの内部メモリ（図示せず）にロードしておく。
今のプレーがゴルフティー（Ｔ）のゴルフボール（ｂ１）をクラブで打撃してゴルフシミュレーションゲームが実行されると、現在の再生状態を確認して、現在のプレイ状態関数を抽出し、抽出された現在のプレイ状態関数がメモリにロードされギフト券進呈プレイ状態関数と一致すると、ギフト券の排出信号を商品券インジェクター（２７０）に出力する。
ゴルフシミュレーションコンピュータ（２０１）からのギフト券排出信号を受信したギフト券インジェクター（２７０）は、商品券を排出口（２７０ａ）を通って排出し、排出された商品券（ｇ−１）は、ギフト券排出口（１１５）を通って、最終的にハウジング１１０の外に排出される。
【００６９】
次は、図４２、図４７に開示された景品を排出する機能を持っているハウジングタイプのゴルフシミュレーション装置（Ａ）による実施例について説明する。
図４２乃至図４７に開示されたように、この発明の実施例による景品排出機能のあるハウジングタイプのゴルフシミュレーション装置（Ａ）において、本機ゴルフシミュレーションコンピュータ（２０１）は動的感知センサー（２２０）から入力されるゴルフボールの動的な情報に基づいた「現在のプレイ状態関数」を抽出し、抽出された現在のプレイ状態関数が内部に基保存されている景品の贈呈の対象となるプレイの状態関数である「景品贈呈プレイ状態関数」に該当する場合には、景品排出信号を出力する。
ハウジング（１１０）の内部空間（Ｓ）に設けられ、本機のゴルフシミュレーションコンピュータ（２０１）からの景品排出信号を受信した場合、景品（ｇ）を排出する景品インジェクター（２９０）が含まれて構成されていることを特徴とする。
この発明の実施例によるハウジングタイプのゴルフシミュレーション装置（Ａ）において、本機景品のインジェクター（２９０）から排出される景品（ｇ）がハウジング（１１０）の外部に排出されるよう、本機ハウジング（１１０）の前面（１１０ａ）は、景品口（１１６）が形成されていることを特徴とする。
【００７０】
図４７は、景品保管区（Ｇ）を取り外した場合の景品（ｇ）と景品保管区（Ｇ）の分離斜視図が示されている。
この発明の実施例によるハウジングタイプのゴルフシミュレーション装置（Ａ）において、本機景品のイジェクター（２９０）は、景品（ｇ）を球状（ｓｐｈｅｒｉｃａｌ  ｓｈａｐｅ）の景品保管区（Ｇ）に入れて、本機景品口（１１６）を通って排出することを特徴とする。
つまり、景品（ｇ）は、景品保管区（Ｇ）に入れられて提供され、景品保管区（Ｇ）は、図４７に図示されたように、一対の半球に分けることができ、この分離された半球の景品（ｇ）を入れた後に半球を結合すると、景品（ｇ）を保持することができるものである。
【００７１】
本機景品のイジェクター（２９０）は、安着ホール（２９１ａ）が形成された安着台（２９１）と、本機定着台（２９１）に設置されたモーター（２９２）と、本機モーター（２９２）の駆動によって回転することにより、本機定着ホール（２９１ａ）に装着された景品保管区（Ｇ）を押すことで排出するように、本機定着台（２９１）に回転可能に設置されている景品排出回転アーム（２９３）と、本機景品排出回転アーム（２９３）によって打撃された景品保管区（Ｇ）を景品口（１１６）に誘導するために、本機定着台（２９１）に設置されている排出ガイド（２９４）を含んで構成されることを特徴とする。
また、この発明の実施例によるハウジングタイプのゴルフシミュレーション装置（Ａ）においては、本機景品のインジェクター（２９０）は、景品保管区（Ｇ）を保持しながら安着ホール（２９１ａ）に景品保管区（Ｇ）を提供する景品用倉庫（２９６）が含まれて構成されること特徴とする。
本機景品用倉庫（２９６）の底面（２９６ａ）は、安着ホール（２９１ａ）に向かって下方に傾斜形成されており、重力によって無動力で景品保管区（Ｇ）を提供することができる利点がある。
この発明の実施例によるハウジングタイプのゴルフシミュレーション装置（Ａ）においては、本機景品排出回転アーム（２９３）が安着ホール（２９１ａ）に位置するゴルフボールを打撃した後回転角度が１８０度に到達する位置を検出する回転アムジョン位置センサー（２９５）をもっとかかわって構成され、本機ゴルフシミュレーションコンピュータ（２０１）は、本機回転アムジョン位置センサー（２９５）からの検出信号を受信した場合、本機モーター（２９２）の駆動を停止する駆動停止信号を本機モーター（２９２）に出力することを特徴とする。
【００７２】
そして、本機景品のインジェクター（２９０）は、図４１に示すように、ハウジング（１１０）の内部空間に備えられた設置台（Ｅ１）に設置される。
この発明の実施例によるハウジングタイプのゴルフシミュレーション装置（Ａ）において、本機ゴルフシミュレーションコンピュータ（２０１）には、景品の贈呈の対象となるプレイの状態関数である「景品贈呈プレイ状態関数」が記憶された状態関数の情報保存部（図示せず）が備えられていて、現在のプレイ状態関数が本機の状態関数の情報保存部（図示せず）に格納されて景品贈呈プレイ状態関数に該当する場合、景品排出信号を本機景品のインジェクター（２９０）、具体的には、モーター（２９２）］に出力すること特徴とする。
この発明の実施例によるハウジングタイプのゴルフシミュレーション装置（Ａ）において、景品進呈モードと通常モードを選択するコマンドを入力するサービスモード選択部（２０６）が含まれて構成されていることを特徴とする。
【００７３】
本機サービスモード選択部（２０６）には、プレイヤーのゲームが設定されたプレイに該当する場合は、景品を排出して贈呈するサービスモードである「景品贈呈モード」の実行コマンドを入力するユーザーインターフェイスである景品贈呈モード選択ボタン（２０６ａ）と、特定のプレイに対応しても賞品を贈呈していない通常のシミュレーションゲームモードである「通常モード」の実行をコマンド入力する通常モード選択ボタン（２０６ｂ）は、完備されています。
そして、本機ゴルフシミュレーションコンピュータ（２０１）は、本機サービスモード選択部（２０６）から景品贈呈モードでの実行コマンドが入力されるかを判断し、受信した景品進呈モードでの実行コマンドに基づいて、選択された景品贈呈モードに対応する景品進呈プレイ状態関数を本機の状態の関数情報格納部（図示せず）からの内部メモリ（図示せず）にロードして、現在のプレイ状態関数が本機の状態関数の情報保存部（図示せず）に格納されて景品贈呈プレイ状態関数に該当する場合、景品排出信号を本機景品のインジェクター（２９０）に出力本機景品のインジェクター（２９０）に景品排出信号を出力することを特徴とする。
本発明の実施例によるハウジングタイプのゴルフシミュレーション装置（Ａ）において、本機景品進呈プレイは、連続バーディー、イーグル、ホールインワン、アルバトロス、最小打数のいずれか一つであることを特徴とする。
【００７４】
次のように景品を排出して贈呈する動作について述べる。
まず、プレイヤーがサービスモード選択部（２０６）の景品贈呈モード選択ボタン（２０６ａ）を押して景品贈呈モードでの実行コマンドが入力されるかを判断し、本機サービスモード選択部（２０６）から景品贈呈モードでの実行コマンドが受信された場合には、受信した景品進呈モードのコマンドに基づいて、選択された景品贈呈モードに対応する景品進呈プレイ状態関数を本機の状態の関数情報格納部（図示せず）からの内部メモリ（図示せず）にロードしておく。
今のプレーがゴルフティー（Ｔ）のゴルフボール（ｂ１）をクラブで打撃してゴルフシミュレーションゲームが実行されると、現在の再生状態を確認して、現在のプレイ状態関数を抽出し、抽出された現在のプレイ状態関数がメモリにロードされた景品贈呈プレイ状態関数と一致すれば、景品排出信号を景品インジェクター（２９０）のモーター（２９２）に出力する。
ゴルフシミュレーションコンピュータ（２０１）からの景品排出信号を受信したモーター（２９２）は、回転駆動し、モーター（２９２）の回転に応じて景品排出回転アーム（２９３）が回転して安着ホール（２９１ａ）の景品保管区（Ｇ）を打撃し、打撃された景品保管区（Ｇ）は、排出ガイド（２９４）の誘導を受けながら、景品口（１１６）を介してハウジング（１１０）外に排出される。
【００７５】
一方、景品排出回転アーム（２９３）が景品保管区（Ｇ）を打撃した後に、回転角度が１８０度に達すると、回転アムジョン位置センサー（２９５）が検出され、ゴルフシミュレーションコンピューター（２０１）で検出信号を出力すると、モーター（２９２）の駆動を停止するための駆動停止信号をモーター（２９２）に送信し、これを受信したモーター（２９２）は駆動を停止する。
無事に到着ホール（２９１ａ）にあった景品保管区（Ｇ）が打撃されて排出されると、景品用倉庫（２９６）にあった景品保管区（Ｇ）が重力によって床面（２９６ａ）に沿って降りてきて無事に到着ホール（２９１ａ）に安着される。
【００７６】
次は、図４８  図５０に開示された折り畳み式のティーマットが完備されたハウジングタイプのゴルフシミュレーション装置（Ａ）による実施例について述べる。
図４８乃至図５０示すように、この発明の実施例によるハウジングタイプのゴルフシミュレーション装置（Ａ）は、ゴルフティー（Ｔ）が設置されていて、ハウジング（１１０）の前面（１１０ａ）の下側に回転可能に設置されて折り畳む場合は、モニター（２１０）をカバーして保護することができ、プレイヤーの打席に利用するティーマット（１９１）が含まれて構成されていることを特徴とする。
【００７７】
本発明の実施例によるハウジングタイプのゴルフシミュレーション装置（Ａ）において、本機のティーマット（１９１）は、折り畳むことができる複数のマット（１９１−１、１９１−２）で構成され、本機マット（１９１−１、１９１−２）は、リンク（１９１ｄ）によって接続されて相互に折れていることを特徴とする。
本発明の実施例によるハウジングタイプのゴルフシミュレーション装置（Ａ）において、本機のティーマット（１９１）は、センサー取付溝（１９１ｂ）が凹入形成されており、本機センサー取付溝（１９１ｂ）は、動的検出センサーが備えられたセンサーモジュール（２２０−１）が装入されていることを特徴とする。
本発明の実施例によるハウジングタイプのゴルフシミュレーション装置（Ａ）において、側面が本機ハウジング（１１０）に固定され、他端が本機ティーマット（１９１）に回転可能に設置された複数のヒンジ（１９１ｃ、１９１ｃ´）が含まれて構成され、本機ヒンジ（１９１ｃ、  １９１ｃ´）によって本機のティーマット（１９１）が折りたたみ出来ることを特徴とする。
【００７８】
最後に、図５１  図５４に開示されたビームプロジェクターが完備されたハウジングタイプのゴルフシミュレーション装置（Ａ）の実施例について説明する。
図５１乃至図５４に示すように、ビームプロジェクターが完備されたハウジングタイプのゴルフシミュレーション装置（Ａ）は、本機ハウジング（１１０）に設けられ、ゴルフシミュレーションコンピュータ（２０１）から送信される映像情報を画面（Ｓ１、Ｓ２）に照射するプロジェクター（２２５）が含まれて構成され、本機ゴルフシミュレーションコンピューター（２０１）は、本機プロジェクター（２２５）ゴルフボール（ｂ１）の動的飛行映像情報を出力する事を含んで構成されていることを特徴とする。
本機のような構成によれば、ハウジング（１１０）を移動させることにより、プロジェクター（２２５）の場所を移動することができますので、スクリーン（Ｓ１、Ｓ２）とプロジェクター（２２５）との距離の調節が可能となり、スクリーン（Ｓ１、Ｓ２）のサイズ［特に幅（ｗ１、ｗ２）］に応じて、プロジェクター（２２５）をスクリーン（Ｓ１、Ｓ２）に近づけたり後退させて距離に応じた最適な映像をスクリーン（Ｓ１、Ｓ２）に照射することができる利点がある。
【００７９】
本発明の実施例によるハウジングタイプのゴルフシミュレーション装置（Ａ）において、本機ハウジング（１１０）の側面（１１０ｅ）は、露出口（１１７）が形成され、プロジェクター（２２５）は、本機露出口（１１７）に前面が露出するようにハウジング（１１０）の内部空間（Ｓ）に設置されることを特徴とする。
本機の構成によれば、ハウジング内部にプロジェクターを設置するので、プロジェクター（２２５）を保護することができながらも、同時にプロジェクター（２２５）を安定に設置できる利点がある。
本発明の実施例によるハウジングタイプのゴルフシミュレーション装置（Ａ）において、本機のゴルフシミュレーションマシン（２０１）の映像情報を本機モニター（２１０）に出力するか、またはプロジェクター（２２５）で出力するかを選択する出力モード選択部（２０７）が含まれて構成され、本機ゴルフシミュレーションコンピュータ（２０１）は、本機の出力モードの選択部（２０７）から入力される出力モード選択信号に応じて、本機モニター（２１０）またはプロジェクター（２２５）のうちいずれかに映像情報を出力すること特徴とする。
本機のような構成によれば、ゴルフシミュレーション映像をスクリーン（Ｓ１、Ｓ２）やモニター（２１０）のうちいずれかを選択して出力することができ、特にモニター（２１０）に出力するか、または画面（Ｓ１、Ｓ２）に出力するかどうかをユーザーが選択できるにおいて、ユーザーに改良されたゴルフシミュレーションプレイ環境を提供することができる利点がある。
本機の出力モードの選択部（２０７）には、モニター（２１０）で映像情報を出力するためのコマンドを入力するモニター出力選択ボタン（２０７ａ）とスクリーン（Ｓ１、Ｓ２）に映像情報を出力するためのコマンドを入力する画面出力選択ボタン（２０７ｂ）が備えられています。
【００８０】
今、スクリーンのサイズに応じてハウジング（１１０）を移動させる動作について記述する。
画面（Ｓ１）の幅（ｗ１）がカーソルのサイズより大きい場合には、ハウジング（１１０）を後に後退させることにより、プロジェクター（２２５）とスクリーン（Ｓ１）との間隔（ｄ１）が離れて立ってスクリーン（Ｓ１、Ｓ２）のサイズに合わせた最適の映像を調査することができるようになる（図５３参照）。
逆に、スクリーン（Ｓ２）の幅（ｗ２）が小さい場合には、ハウジング（１１０）をこれからスライドさせるプロジェクター（２２５）とスクリーン（Ｓ１）との間隔（ｄ２）が狭くなり、スクリーン（Ｓ１、Ｓ２）のサイズに合わせた最適の映像を調査することができるようになる（図５４参照）。
【００８１】
このように本発明に係る好適な実施例を説明した。先に説明されている実施例以外にも、本発明は、その趣旨またはカテゴリーから逸脱することなく他の特定の形で具体化されることがあるという事実は、当該技術分野において通常の知識を有する者には、自明なものである。
したがって、上述した実施例は限定的なものではなく例示的なもので考慮されるべきまた、これにより、本発明は、上述した説明に限定されず、添付された請求項のカテゴリー及びその均等の範囲内で変更することができる。
【符号の説明】
【００８２】
Ａ：この発明によるハウジングタイプのゴルフシミュレーション装置
１１０：ハウジング
１１０ａ：前面
１１０ｂ：背面
１１０ｃ：上面
１１０ｄ：底面
１１０ｅ：左右側面
１１１：通過口
１１２：アーム通過口
１１３ａ：止めドルチョ
１１４：ホックホール
１１５：バウチャー排出口
１１６：懸賞口
１１７：露出口
Ｓ：内部空間
１２０：モニターの取り付け部
１２０ａ：モニター取付部の底部
１２０ｂ：モニター取付部の背面支持部
１２０ｃ：連球
１２１：ヒンジ
１２２：架台傾斜調節手段
１２２ａ：ナット
１２２ａ´：スクリューボール
１２２ｂ：動作ネジ棒
１２３ａ：支持編
１２３ｂ：緩衝部材
１２４：架台傾斜調節手段
１２４ａ：回転手段
１２４ｂ：回転ネジ棒
１２４ｃ´：スクリューボール
１２４ｃ：移動プレート
１２４ｄ：タイロッド
１３０：センサーの取り付け部
１３１：安着台収容部
１３２、１３３：センサー挿入部
Ｋ：センサー安着台
Ｋａ：安着ホーム
１３５：エタン部材
１３５ａ：固定ピン
１３５ｂ：エタン編
１３６：設置ホーム
１４０：投ドア
１４０ａ：ヒンジ
１４０ｂ：投光パネル
１４１：磁石
１４２：金属片
１４４：モニターの保護
１４４ａ：締結ボルト
１４４ｂ：締結孔
１４５：第１支持部材
１５１：キャスター
１５２：照明手段
１５３：雨よけ
１５３ａ：側方避け
１５３ｂ：上方避け
１６１：クラブホック
１６１ａ：斜面
１６２：広告シート
１６３：シート固定具
１６５：紙幣投入口
１７０：吐出口
１７１：エアガイド
１７２：入口
１８１：キーボード装着部
１８２：ラジエター
１８５：カメラ
１８６：ユーエスビーポート
１８７：装飾部材
１８７ａ：打席番号表示部
１９１：ティーマット
１９１−１、１９１−２：分節マット
１９１ａ：第１挿入溝
１９１ｂセンサーのセットアップホーム
１９１ｃ、１９１ｃ´：ヒンジ
１９１ｄ：リンク
１９２：台座
１９４：ベース
１９４ａ：架台
１９４ａ´：第２挿入溝
２０１：ゴルフシミュレーションマシン
２０５，２０６：サービスモード選択部
２０５ａ：商品券贈呈モード選択ボタン
２０５ｂ：通常モード選択ボタン
２０６ａ：景品贈呈モード選択ボタン
２０６ｂ：通常モード選択ボタン
２０７：出力モード選択部
２０７ａ：モニター出力選択ボタン
２０７ｂ：スクリーン出力選択ボタン
２１０：モニター
２１０ａ：モニターの前面
２１０ｂ：モニターの底部
２１１：立体映像用偏光フィルム
２２０、２２０´、２２０″：動的検出センサー
２２０−１：センサモジュール
２２５：プロジェクター
２５０：ゴルフボールフィーダ
２５０ａ：フィーダベース
２５１：モーター
２５２ａ：モータープーリー
２５２ｂ：ベルト
２５２ｃ：アームプーリー
２５２ｃ´：アームプーリーの回転軸
２５２ｄ：回転プレート
２５３：回転アーム
２５４：定着リング
２５５：ボール感知センサー
２５６：アームの回転検出センサー
２５７：アーム回転検出編
２５８：フィーダガイドレール
２６０：ライブラリ
２６０ａ：ライブラリの前面
２６２：出口
２６２´：出口プレート
２６４：スライドガイド溝
２６４ａ：中空ホール
２６６：シャッター
２６６ａ：オープンドルジョ
２６８：ラブラリーホック
２６９：ライブラリーレール
２７０：バウチャーインジェクター
２７０ａ：ギフト券インジェクターの出口
２８１：熱交換器
２８２：送風機
２８３：ヒッティング手段
２８４：反射板
２９０：懸賞インジェクター
２３０：キーボード
Ｄｒ：ドア
Ｅ１：設置台
Ｂｒ：移送パイプ
Ｐ：ゴルフ練習場
Ｐｏ：屋外ゴルフ練習場
Ｒ：屋外ゴルフ練習場の屋根
Ｔｇ：ターゲット幕
Ｃ１：ゴルフクラブ
ｂ１：ゴルフボール
Ｎ１：打席の番号
Ｔ：ゴルフのティー
ｈ１ゴルフのティーの高さ
ｈ２：底部の高さ
ｇ−１：ギフト券
ｇ：景品
Ｇ：景品保管ｂｏｘ
【図１】
2014515303.tif 000003
【図２】
2014515303.tif 000004
【図３】
2014515303.tif 000005
【図４】
2014515303.tif 000006
【図５】
2014515303.tif 000007
【図６】
2014515303.tif 000008
【図７】
2014515303.tif 000009
【図８】
2014515303.tif 000010
【図９】
2014515303.tif 000011
【図１０】
2014515303.tif 000012
【図１１】
2014515303.tif 000013
【図１２】
2014515303.tif 000014
【図１３】
2014515303.tif 000015
【図１４】
2014515303.tif 000016
【図１５】
2014515303.tif 000017
【図１６】
2014515303.tif 000018
【図１７】
2014515303.tif 000019
【図１８】
2014515303.tif 000020
【図１９】
2014515303.tif 000021
【図２０】
2014515303.tif 000022
【図２１】
2014515303.tif 000023
【図２２】
2014515303.tif 000024
【図２３】
2014515303.tif 000025
【図２４】
2014515303.tif 000026
【図２５】
2014515303.tif 000027
【図２６】
2014515303.tif 000028
【図２７】
2014515303.tif 000029
【図２８】
2014515303.tif 000030
【図２９】
2014515303.tif 000031
【図３０】
2014515303.tif 000032
【図３１】
2014515303.tif 000033
【図３２】
2014515303.tif 000034
【図３３】
2014515303.tif 000035
【図３４】
2014515303.tif 000036
【図３５】
2014515303.tif 000037
【図３６】
2014515303.tif 000038
【図３７】
2014515303.tif 000039
【図３８】
2014515303.tif 000040
【図３９】
2014515303.tif 000041
【図４０】
2014515303.tif 000042
【図４１】
2014515303.tif 000043
【図４２】
2014515303.tif 000044
【図４３】
2014515303.tif 000045
【図４４】
2014515303.tif 000046
【図４５】
2014515303.tif 000047
【図４６】
2014515303.tif 000048
【図４７】
2014515303.tif 000049
【図４８】
2014515303.tif 000050
【図４９】
2014515303.tif 000051
【図５０】
2014515303.tif 000052
【図５１】
2014515303.tif 000053
【図５２】
2014515303.tif 000054
【図５３】
2014515303.tif 000055
【図５４】
2014515303.tif 000056
【国際調査報告】
2014515303.tif 000057
2014515303.tif 000058
2014515303.tif 000059
2014515303.tif 000060